(57)【要約】  サイクロン式ハンドバキュームクリーナなどの手で持運び可能な表面クリーニング装置が提供され、サイクロンチャンバは２つの排塵口を有する。
2016511671.tif 000002
【特許請求の範囲】
【請求項１】
手で持運び可能な表面クリーニング装置であって、
（ａ）  吸引モータを収納する本体と、
（ｂ）  サイクロンチャンバと、前記サイクロンチャンバの外部の集塵チャンバとを含むサイクロンビンアセンブリとを備え、前記サイクロンチャンバは、前記サイクロンチャンバの下部に設けられる２つの排塵口を含み、さらに、
（ｃ）  汚染空気入口から清浄空気出口まで延在し、前記吸引モータおよび前記サイクロンチャンバを含む空気流路を備える、手で持運び可能な表面クリーニング装置。
【請求項２】
前記排塵口は前記サイクロンチャンバの対向する２つの表面に位置決めされる、請求項１に記載の手で持運び可能な表面クリーニング装置。
【請求項３】
前記表面クリーニング装置は前端および後端を有し、前記排塵口の一方は前記サイクロンチャンバの前側に位置決めされ、前記排塵口の他方は前記サイクロンチャンバの後側に位置決めされる、請求項１または２に記載の手で持運び可能な表面クリーニング装置。
【請求項４】
前記集塵チャンバの少なくとも一部は前記排塵口の下方に位置決めされる、請求項１から３のいずれか１項に記載の手で持運び可能な表面クリーニング装置。
【請求項５】
前記集塵チャンバの少なくとも一部は前記排塵口の下方に位置決めされる、請求項１から３のいずれか１項に記載の手で持運び可能な表面クリーニング装置。
【請求項６】
前記空気入口は前記サイクロンチャンバの上端に位置決めされ、前記空気出口は、空気が前記上端を通って前記サイクロンチャンバから出るように構成され、前記排塵口は前記サイクロンチャンバの下端に位置決めされる、請求項１から５のいずれか１項に記載の手で持運び可能な表面クリーニング装置。
【請求項７】
前記空気入口および前記排塵口は前記サイクロンチャンバの下端に位置決めされ、前記空気出口は前記サイクロンチャンバの上端に位置決めされる、請求項１または２に記載の手で持運び可能な表面クリーニング装置。
【請求項８】
前記手で持運び可能な表面クリーニング装置はハンドバキュームクリーナを含む、請求項１から７のいずれか１項に記載の手で持運び可能な表面クリーニング装置。
【請求項９】
前記手で持運び可能な表面クリーニング装置はベースに取外し可能に装着可能であり、そのように装着されると、前記手で持運び可能な表面クリーニング装置および前記ベースはともに、前記手で持運び可能な表面クリーニング装置がそのように装着された場合の前記表面クリーニング装置の動作構成要素である表面クリーニング装置を規定し、前記少なくとも１つのサイクロンは、前記ベースに装着されると概して直立の位置に方向付けられる、請求項１から８のいずれか１項に記載の手で持運び可能な表面クリーニング装置。
【請求項１０】
前記手で持運び可能な表面クリーニング装置は、直立バキュームクリーナの上部に取外し可能に装着可能であり、前記上部は、保管位置と床掃除位置との間の表面クリーニングヘッドに可動に装着される、請求項１から８のいずれか１項に記載の手で持運び可能な表面クリーニング装置。
【請求項１１】
前記少なくとも１つのサイクロンは、前記直立バキュームクリーナに装着されると、概して直立の位置に方向付けられる、請求項１から１０のいずれか１項に記載の手で持運び可能な表面クリーニング装置。
【請求項１２】
前記集塵チャンバは下方の開放可能なドアを有する、請求項１から１２のいずれか１項に記載の手で持運び可能な表面クリーニング装置。
【請求項１３】
表面クリーニング装置であって、
（ａ）  吸引モータを収納する本体と、
（ｂ）  サイクロンチャンバと、前記サイクロンチャンバの外部の集塵チャンバとを含むサイクロンビンアセンブリとを備え、前記サイクロンチャンバは、前記サイクロンチャンバに設けられる２つの排塵口を含み、前記塵チャンバの少なくとも一部は前記排塵口の下方に位置決めされ、さらに、
（ｃ）  汚染空気入口から清浄空気出口まで延在し、前記吸引モータおよび前記空気処理部材を含む空気流路を備える、表面クリーニング装置。
【請求項１４】
前記排塵口は前記サイクロンチャンバの下端に設けられる、請求項１３に記載の表面クリーニング装置。
【請求項１５】
前記排塵口は前記サイクロンチャンバの対向する２つの表面に位置決めされる、請求項１３または１４に記載の表面クリーニング装置。
【請求項１６】
前記表面クリーニング装置は前端および後端を有し、前記排塵口の一方は前記サイクロンチャンバの前側に位置決めされ、前記排塵口の他方は前記サイクロンチャンバの後側に位置決めされる、請求項１３から１５のいずれか１項に記載の表面クリーニング装置。
【請求項１７】
前記集塵チャンバの少なくとも一部は前記排塵口の下方に位置決めされる、請求項１３から１６のいずれか１項に記載の表面クリーニング装置。
【請求項１８】
前記集塵チャンバは下方の開放可能なドアを有する、請求項１３から１７のいずれか１項に記載の表面クリーニング装置。
【請求項１９】
表面クリーニング装置であって、
（ａ）  汚染流体入口と、
（ｂ）  前記汚染流体入口の下流のサイクロンチャンバを含むサイクロンビンアセンブリとを備え、前記サイクロンチャンバは、第１の端と、第２の端と、サイクロン軸と、前記第２の端における吸気口および排気口とを含み、さらに、
（ｃ）  前記サイクロンの下流に位置決めされるプレモータフィルタと、
（ｄ）  前記プレモータフィルタの下流に位置決めされる吸引モータと、
（ｅ）  前記プレモータフィルタから前記吸引モータまで延在する空気流路とを備え、前記空気流路は、前記サイクロンチャンバの外部にあり、かつ前記サイクロンチャンバの前記第１および前記第２の端の間であってこれらの端から横方向に間隔が空けられている位置まで延在する第１の部分と、吸引モータ入口まで横方向に延在する第２の部分とを有し、さらに、
（ｆ）  前記吸引モータの下流の清浄空気出口を備える、表面クリーニング装置。
【請求項２０】
前記吸引モータは吸引モータ入口を有し、前記吸引モータ入口は、前記サイクロンチャンバの外部に、かつ前記サイクロンビンアセンブリの前記第１および第２の端の間に位置決めされる、請求項１９に記載の表面クリーニング装置。
【請求項２１】
前記吸引モータは、前記サイクロン軸に概して垂直なモータ軸を有する、請求項２０に記載の表面クリーニング装置。
【請求項２２】
前記吸引モータは、前記サイクロン軸に概して垂直なモータ軸を有する、請求項１９または２０に記載の表面クリーニング装置。
【請求項２３】
前記吸気口は前記第２の端に設けられ、前記排塵口は前記第１の端に設けられる、請求項１９から２２のいずれか１項に記載の表面クリーニング装置。
【請求項２４】
前記空気流路の前記第１の部分は、前記サイクロンチャンバの外壁に沿って延在する、請求項１９から２３のいずれか１項に記載の表面クリーニング装置。
【請求項２５】
前記サイクロンチャンバの外部に位置決めされる集塵チャンバをさらに備え、前記空気流路の前記第１の部分は前記集塵チャンバの外壁に沿って延在する、請求項１９から２４のいずれか１項に記載の表面クリーニング装置。
【請求項２６】
前記プレモータフィルタは、前記サイクロンチャンバの前記第２の端から間隔が空けられており、かつ前記第２の端に対向し、前記プレモータフィルタは上流側および下流側を有し、前記上流側は前記下流側よりも前記サイクロンチャンバから間隔が空けられている、請求項１９から２５のいずれか１項に記載の表面クリーニング装置。
【請求項２７】
前記サイクロンチャンバの前記排気口と流れ連通しており、前記プレモータフィルタを通って延在する導管をさらに備える、請求項２６に記載の表面クリーニング装置。
【請求項２８】
前記プレモータフィルタの前記下流側の下流ヘッダをさらに備え、前記空気流路は前記下流ヘッダから下流に延在する、請求項２７に記載の表面クリーニング装置。
【請求項２９】
前記プレモータフィルタの前記上流側の上流ヘッダをさらに備え、前記上流ヘッダは開放可能である、請求項２６に記載の表面クリーニング装置。
【請求項３０】
前記上流ヘッダの少なくとも一部は透明である、請求項２９に記載の表面クリーニング装置。
【請求項３１】
前記表面クリーニング装置は手で持運び可能な表面クリーニング装置であり、ハンドル、吸引モータハウジングおよびプレモータフィルタハウジングをさらに含み、前記ハンドルは前記吸引モータハウジングと前記プレモータフィルタハウジングとの間に延在する、請求項１９から３０のいずれか１項に記載の表面クリーニング装置。
【請求項３２】
前記プレモータフィルタハウジングは開放可能である、請求項３１に記載の表面クリーニング装置。
【請求項３３】
前記吸引モータは、前記サイクロン軸に概して垂直なモータ軸を有する、請求項３１に記載の表面クリーニング装置。
【請求項３４】
前記ハンドルは、前記ハンドルのプレモータフィルタ端から横方向に間隔が空けられている吸引モータハウジング端を有し、前記ハンドルの前記プレモータフィルタ端は、前記サイクロン軸の方向において前記ハンドルの前記吸引モータから間隔が空けられている、請求項３３に記載の表面クリーニング装置。
【請求項３５】
周囲を有する開口部をさらに備え、前記周囲は、前記ハンドル、前記プレモータフィルタハウジングおよび前記吸引モータハウジングの一部を含む、請求項３３に記載の表面クリーニング装置。
【請求項３６】
前記表面クリーニング装置は手で持運び可能な表面クリーニング装置であり、ハンドルをさらに備え、前記ハンドルの一部は前記表面クリーニング装置の重心の後方に配置される、請求項１９から３５のいずれか１項に記載の表面クリーニング装置。
【請求項３７】
表面クリーニング装置であって、
（ａ）  汚染流体入口と、
（ｂ）  前記汚染流体入口の下流のサイクロンチャンバを含むサイクロンビンアセンブリとを備え、前記サイクロンチャンバは、第１の端と、第２の端と、サイクロン軸と、前記第２の端における吸気口および排気口とを含み、さらに、
（ｃ）  前記サイクロンの下流に位置決めされるプレモータフィルタを備え、空気は、第１の方向において前記サイクロンチャンバから前記プレモータフィルタの上流側に進み、さらに、
（ｄ）  前記プレモータフィルタの下流に位置決めされる吸引モータを備え、前記吸引モータは、前記サイクロンビンアセンブリの前記第１および前記第２の端の間に位置決めされる吸引モータ入口と、前記サイクロン軸に概して垂直なモータ軸とを有し、さらに、
（ｅ）  前記プレモータフィルタから前記吸引モータまで延在する空気流路を備え、前記空気流路は、空気が前記第１の方向と反対方向に進む際に通る部分を含み、さらに、
（ｆ）  前記吸引モータの下流の清浄空気出口を備える、表面クリーニング装置。
【請求項３８】
前記空気流路内の入口端と、前記吸引モータの軸と概して平行な軸とを有するブリード弁をさらに備える、請求項３７に記載の表面クリーニング装置。
【請求項３９】
前端および後端を有する、手で持運び可能な表面クリーニング装置であって、
（ａ）  汚染流体入口と、
（ｂ）  前記汚染流体入口の下流のサイクロンチャンバを含むサイクロンビンアセンブリとを備え、前記サイクロンチャンバは、下端と、上端と、サイクロン軸と、前記上端における吸気口および排気口とを含み、さらに、
（ｃ）  上流側および下流側を含むプレモータフィルタを備え、前記モータフィルタは前記上端の上方および前記サイクロンチャンバの下流に位置決めされ、さらに、
（ｄ）  前記プレモータフィルタの下流および前記サイクロンビンアセンブリの後方に位置決めされる吸引モータと、
（ｅ）  前記プレモータフィルタから前記吸引モータまで延在する空気流路と、
（ｆ）  前記吸引モータの下流の清浄空気出口とを備える、表面クリーニング装置。
【請求項４０】
前記吸引モータは、前記サイクロンビンアセンブリの前記下端および前記上端の間に位置決めされる吸引モータ入口を有する、請求項３９に記載の手で持運び可能な表面クリーニング装置。
【請求項４１】
前記吸引モータは、前記サイクロン軸に概して垂直なモータ軸を有する、請求項４０に記載の手で持運び可能な表面クリーニング装置。
【請求項４２】
前記吸引モータは、前記サイクロン軸に概して垂直なモータ軸を有する、請求項３９から４１のいずれか１項に記載の手で持運び可能な表面クリーニング装置。
【請求項４３】
前記吸気口は前記上端に設けられ、排塵口は前記下端に設けられ、前記サイクロンチャンバの下方に集塵チャンバが位置決めされる、請求項３９から４２のいずれか１項に記載の手で持運び可能な表面クリーニング装置。
【請求項４４】
前記空気流路は、前記サイクロンチャンバの外部にあり、かつ前記サイクロンチャンバの外壁に沿って吸引モータ入口に向かって途中まで延在する部分を有する、請求項３９から４３のいずれか１項に記載の手で持運び可能な表面クリーニング装置。
【請求項４５】
前記サイクロンチャンバの外部に位置決めされる集塵チャンバをさらに備え、前記空気流路は、前記集塵チャンバの外壁に沿って吸引モータ入口に向かって途中まで延在する部分を有する、請求項３９から４４のいずれか１項に記載の手で持運び可能な表面クリーニング装置。
【請求項４６】
前記上流側は、前記下流側よりも前記サイクロンチャンバから間隔が空けられている、請求項３９から４５のいずれか１項に記載の手で持運び可能な表面クリーニング装置。
【請求項４７】
前記サイクロンチャンバの前記排気口と流れ連通しており、前記プレモータフィルタを通って延在する導管をさらに備える、請求４６に記載の手で持運び可能な表面クリーニング装置。
【請求項４８】
前記プレモータフィルタの前記下流側の下流ヘッダをさらに備え、前記空気流路は前記下流ヘッダから下流に延在する、請求項４７に記載の手で持運び可能な表面クリーニング装置。
【請求項４９】
前記プレモータフィルタの前記上流側の上流ヘッダをさらに備え、前記上流ヘッダは開放可能である、請求項４６に記載の手で持運び可能な表面クリーニング装置。
【請求項５０】
前記上流ヘッダの少なくとも一部は透明である、請求項４９に記載の手で持運び可能な表面クリーニング装置。
【請求項５１】
ハンドルと、吸引モータハウジングと、前記サイクロンチャンバの上方に位置決めされるプレモータフィルタハウジングとをさらに備え、前記ハンドルは前記吸引モータハウジングと前記プレモータフィルタハウジングとの間に延在する、請求項３９から５０のいずれか１項に記載の手で持運び可能な表面クリーニング装置。
【請求項５２】
前記プレモータフィルタハウジングは開放可能である、請求項５１に記載の手で持運び可能な表面クリーニング装置。
【請求項５３】
前記吸引モータは、前記サイクロン軸に概して垂直なモータ軸を有する、請求項５１に記載の手で持運び可能な表面クリーニング装置。
【請求項５４】
前記ハンドルは、前記サイクロンビンアセンブリの後方および前記プレモータフィルタハウジングの下方に間隔が空けられている吸引モータハウジング端と、前記ハンドルの前記吸引モータ端の上方および前方に間隔が空けられているプレモータフィルタ端とを有する、請求項５１に記載の手で持運び可能な表面クリーニング装置。
【請求項５５】
周囲を有する開口部をさらに備え、前記周囲は、前記ハンドル、前記プレモータフィルタハウジングおよび前記吸引モータハウジングの一部を含む、請求項５１に記載の手で持運び可能な表面クリーニング装置。
【請求項５６】
ハンドルをさらに備え、前記ハンドルの一部は、前記手で持運び可能な表面クリーニング装置の重心の後方に配置される、請求項３９から５５のいずれか１項に記載の手で持運び可能な表面クリーニング装置。
【請求項５７】
前記空気流路内に入口端を有するブリード弁をさらに備える、請求項３９から５５のいずれか１項に記載の手で持運び可能な表面クリーニング装置。
【請求項５８】
前記ブリード弁は、前記吸引モータの軸と概して平行な軸を有する、請求項５７に記載の手で持運び可能な表面クリーニング装置。
【請求項５９】
前端および後端を有する、手で持運び可能な表面クリーニング装置であって、
（ａ）  汚染流体入口と、
（ｂ）  前記汚染流体入口の下流のサイクロンチャンバを含むサイクロンビンアセンブリとを備え、前記サイクロンチャンバは、下端と、上端と、サイクロン軸と、前記上端における吸気口および排気口とを含み、さらに、
（ｃ）  上流側および下流側を含むプレモータフィルタと、
（ｄ）  前記プレモータフィルタを通って延在し、前記プレモータフィルタの前記上流側と連通している、前記サイクロン排気口と連通している導管と、
（ｅ）  前記プレモータフィルタの下流および前記サイクロンビンアセンブリの後方に位置決めされる吸引モータと、
（ｆ）  前記プレモータフィルタから前記吸引モータまで延在する空気流路と、
（ｇ）  前記吸引モータの下流の清浄空気出口とを備える、表面クリーニング装置。
【請求項６０】
前記プレモータフィルタは前記サイクロンチャンバの上方に位置決めされ、前記上流側は前記下流側よりも前記サイクロンチャンバから間隔が空けられている、請求項５９に記載の手で持運び可能な表面クリーニング装置。
【請求項６１】
前記サイクロン排気口は渦ファインダを含み、前記導管は前記渦ファインダの延在部を含む、請求項５９または６０に記載の手で持運び可能な表面クリーニング装置。
【請求項６２】
前記プレモータフィルタの前記下流側の下流ヘッダをさらに備え、前記空気流路は前記下流ヘッダから下流に延在する、請求項６１に記載の手で持運び可能な表面クリーニング装置。
【請求項６３】
前記プレモータフィルタの前記上流側の上流ヘッダをさらに備え、前記上流ヘッダは開放可能である、請求項６２に記載の手で持運び可能な表面クリーニング装置。
【請求項６４】
前記上流ヘッダの少なくとも一部は透明である、請求項６３に記載の手で持運び可能な表面クリーニング装置。
【請求項６５】
前記吸引モータは、前記サイクロンビンアセンブリの前記下端および前記上端の間に位置決めされる吸引モータ入口を有する、請求項５９から６４のいずれか１項に記載の手で持運び可能な表面クリーニング装置。
【請求項６６】
前記吸引モータは、前記サイクロン軸に概して垂直なモータ軸を有する、請求項６５に記載の手で持運び可能な表面クリーニング装置。
【請求項６７】
前記吸引モータは、前記サイクロン軸に概して垂直なモータ軸を有する、請求項５９から６６のいずれか１項に記載の手で持運び可能な表面クリーニング装置。
【請求項６８】
前記吸気口は前記上端に設けられ、前記排塵口は前記下端に設けられ、前記サイクロンチャンバの下方に集塵チャンバが位置決めされる、請求項５９から６７のいずれか１項に記載の手で持運び可能な表面クリーニング装置。
【請求項６９】
前記空気流路は、前記サイクロンチャンバの外部にあり、かつ前記サイクロンチャンバの外壁に沿って吸引モータ入口に向かって途中まで延在する部分を有する、請求項５９から６８のいずれか１項に記載の手で持運び可能な表面クリーニング装置。
【請求項７０】
前記サイクロンチャンバの外部に位置決めされる集塵チャンバをさらに備え、前記空気流路は、前記集塵チャンバの外壁に沿って吸引モータ入口に向かって途中まで延在する部分を有する、請求項５９から６９のいずれか１項に記載の手で持運び可能な表面クリーニング装置。
【請求項７１】
ハンドルと、吸引モータハウジングと、前記サイクロンチャンバの上方に位置決めされるプレモータフィルタハウジングとをさらに備え、前記ハンドルは前記吸引モータハウジングと前記プレモータフィルタハウジングとの間に延在する、請求項５９から７０のいずれか１項に記載の手で持運び可能な表面クリーニング装置。
【請求項７２】
前記プレモータフィルタハウジングは開放可能である、請求項７１に記載の手で持運び可能な表面クリーニング装置。
【請求項７３】
前記吸引モータは、前記サイクロン軸に概して垂直なモータ軸を有する、請求項７１に記載の手で持運び可能な表面クリーニング装置。
【請求項７４】
前記ハンドルは、前記サイクロンビンアセンブリの後方および前記プレモータフィルタハウジングの下方に間隔が空けられている吸引モータハウジング端と、前記ハンドルの前記吸引モータ端の上方および前方に間隔が空けられているプレモータフィルタ端とを有する、請求項７１に記載の手で持運び可能な表面クリーニング装置。
【請求項７５】
周囲を有する開口部をさらに備え、前記周囲は、前記ハンドル、前記プレモータフィルタハウジングおよび前記吸引モータハウジングの一部を含む、請求項７１に記載の手で持運び可能な表面クリーニング装置。
【請求項７６】
ハンドルをさらに備え、前記ハンドルの一部は、前記手で持運び可能な表面クリーニング装置の重心の後方に配置される、請求項５９から７５のいずれか１項に記載の手で持運び可能な表面クリーニング装置。
【請求項７７】
前記空気流路内に入口端を有するブリード弁をさらに備える、請求項５９から７６のいずれか１項に記載の手で持運び可能な表面クリーニング装置。
【請求項７８】
前記ブリード弁は、前記吸引モータの軸と概して平行な軸を有する、請求項７７に記載の手で持運び可能な表面クリーニング装置。
【請求項７９】
前端、後端、上端および下端を有する、手で持運び可能な表面クリーニング装置であって、
（ａ）  汚染流体入口と、
（ｂ）  吸引モータと、前記吸引モータの前方に位置決めされるサイクロンビンアセンブリとを収納する本体とを備え、前記サイクロンビンアセンブリはサイクロンチャンバおよび集塵チャンバを含み、さらに、
（ｃ）  ハンドルを備え、前記ハンドルの少なくとも一部は、前記手で持運び可能な表面クリーニング装置の重心の後方および上方に配置され、さらに、
（ｄ）  前記吸引モータの下流の清浄空気出口と、
（ｅ）  前記汚染空気入口から前記清浄空気出口まで延在し、前記吸引モータおよび前記サイクロンビンアセンブリを含む空気流路とを備える、表面クリーニング装置。
【請求項８０】
請求項２から１２、１４から１８、２９から３６、３８、４０から５８、および６０から７８のいずれか１項以上における特徴をさらに備える、請求項７９に記載の表面クリーニング装置。
【請求項８１】
手で持運び可能な表面クリーニング装置であって、
（ａ）  汚染流体入口から清浄空気出口まで延在する空気流路と、
（ｂ）  ハンドルを含み、サイクロンビンアセンブリおよびプレモータフィルタを収納する本体と、
（ｃ）  吸引モータを含む吸引モータハウジングとを備え、前記吸引モータハウジングは前記本体に取外し可能に結合され、さらに、
（ｄ）  前記吸引モータの下流の清浄空気出口を備える、表面クリーニング装置。
【請求項８２】
請求項２から１２、１４から１８、２９から３６、３８、４０から５８、および６０から７８のいずれか１項以上ならびにまたは明細書段落［０１４８］から［０１５２］における特徴をさらに備える、請求項８１に記載の表面クリーニング装置。
【請求項８３】
手で持運び可能な表面クリーニング装置であって、
（ａ）  吸引モータを収納する本体と、
（ｂ）  サイクロンチャンバおよび集塵チャンバを含むサイクロンビンアセンブリとを備え、前記サイクロンチャンバは、サイクロン軸に沿って延在し、吸気口と、前記集塵チャンバと連通している排塵口と、排気口とを含み、さらに、
（ｃ）  汚染空気入口から清浄空気出口まで延在し、前記吸引モータおよび前記サイクロンチャンバを含む空気流路と、
（ｄ）  前記サイクロン軸と同軸の弁軸に沿って延在し、かつ前記空気流路の外部から空気を受ける入口ポートと、前記サイクロン排気口と前記吸引モータとの間の前記空気流路と連通している出口ポートとを有するブリード弁とを備える、表面クリーニング装置。
【請求項８４】
請求項２から１２、１４から１８、２９から３６、３８、４０から５８、および６０から７８のいずれか１項以上ならびにまたは明細書段落［０１３２］から［０１３８］における特徴をさらに備える、請求項８３に記載の表面クリーニング装置。
【請求項８５】
手で持運び可能な表面クリーニング装置であって、
（ａ）  吸引モータを収納する本体と、
（ｂ）  サイクロンチャンバおよび集塵チャンバを含むサイクロンビンアセンブリとを備え、前記サイクロンチャンバは、サイクロン軸に沿って延在し、吸気口と、前記集塵チャンバと連通している排塵口と、排気口とを含み、さらに、
（ｃ）  汚染空気入口から清浄空気出口まで延在し、前記吸引モータおよび前記サイクロンチャンバを含む空気流路と、
（ｄ）  前記空気流路内に配置され、上流側と、対向する下流側とを有するプレモータフィルタと、
（ｅ）  前記上流側と概して同一平面上にあり、前記空気流路の外部から空気を受けるように構成される入口ポートと、前記サイクロン排気口と前記吸引モータとの間の前記空気流路と連通している出口ポートとを有するブリード弁とを備える、表面クリーニング装置。
【請求項８６】
請求項２から１２、１４から１８、２９から３６、３８、４０から５８、および６０から７８のいずれか１項以上ならびにまたは明細書段落［０１３２］から［０１３８］における特徴をさらに備える、請求項８５に記載の表面クリーニング装置。
【請求項８７】
手で持運び可能な表面クリーニング装置であって、
（ａ）  吸引モータを収納する本体と、
（ｂ）  サイクロンチャンバおよび集塵チャンバを含むサイクロンビンアセンブリとを備え、前記サイクロンチャンバは、サイクロン軸に沿って第１の端と第２の端との間に延在し、第２の端壁を有し、吸気口と、前記集塵チャンバと連通している排塵口と、前記第２の端壁における排気口とを含み、さらに、
（ｃ）  汚染空気入口から清浄空気出口まで延在し、前記吸引モータおよび前記サイクロンチャンバを含む空気流路と、
（ｄ）  前記清浄空気出口と前記吸引モータとの間の前記空気流路内に配置され、前記サイクロンチャンバの前記第２の端壁の少なくとも一部の上に重なるプレモータフィルタとを備え、前記プレモータフィルタは、上流側と、前記上流側から間隔が空けられている対向する下流側と、前記上流側から前記下流側まで延在するフィルタ開口とを有し、さらに、
（ｅ）  前記空気流路の外部から空気を受けるように構成される入口ポートと、前記サイクロン排気口と前記吸引モータとの間の前記空気流路と連通している出口ポートとを有するブリード弁を備え、前記ブリード弁は、前記フィルタ開口の内部に少なくとも部分的に入れ子になっている、表面クリーニング装置。
【請求項８８】
請求項２から１２、１４から１８、２９から３６、３８、４０から５８、および６０から７８のいずれか１項以上ならびにまたは明細書段落［０１３２］から［０１３８］における特徴をさらに備える、請求項８７に記載の表面クリーニング装置。
【請求項８９】
手で持運び可能な表面クリーニング装置であって、
（ａ）  吸引モータを収納する本体と、
（ｂ）  サイクロンチャンバおよび集塵チャンバを含むサイクロンビンアセンブリとを備え、前記サイクロンチャンバは、吸気口と、前記集塵チャンバと連通している排塵口と、渦ファインダとを含み、さらに、
（ｃ）  汚染空気入口から清浄空気出口まで延在し、前記吸引モータおよび前記サイクロンチャンバを含む空気流路と、
（ｄ）  前記清浄空気出口と前記吸引モータとの間の前記空気流路内に配置されるプレモータフィルタと、
（ｅ）  前記空気流路の外部から空気を受けるように構成される入口ポートと、前記サイクロン排気口と前記吸引モータとの間の前記空気流路と連通している出口ポートとを有するブリード弁とを備え、前記ブリード弁は、前記渦ファインダの内部に少なくとも部分的に入れ子になっている、表面クリーニング装置。
【請求項９０】
請求項２から１２、１４から１８、２９から３６、３８、４０から５８、および６０から７８のいずれか１項以上ならびにまたは明細書段落［０１３２］から［０１３８］における特徴をさらに備える、請求項８９に記載の表面クリーニング装置。
【請求項９１】
手で持運び可能な表面クリーニング装置であって、
（ａ）  吸引モータを収納する本体と、
（ｂ）  サイクロンチャンバおよび集塵チャンバを含むサイクロンビンアセンブリとを備え、前記サイクロンチャンバは、サイクロン軸に沿って延在し、吸気口と、前記集塵チャンバと連通している排塵口と、排気口とを含み、さらに、
（ｃ）  汚染空気入口から清浄空気出口まで延在し、前記吸引モータおよび前記サイクロンチャンバを含む空気流路と、
（ｄ）  前記サイクロンビンアセンブリと前記吸引モータとの間の前記空気流路内に配置され、上流側および下流側を含むプレモータフィルタと、
（ｅ）  前記空気流路の外部から空気を受ける入口ポートと、前記プレモータフィルタの前記下流側の上流に位置決めされる出口ポートとを有するブリード弁と、
（ｆ）  前記ブリード弁の前記出口ポートと連通している入口端と、前記プレモータフィルタと前記吸引モータとの間の前記空気流路と連通している出口端とを有する導管とを備える、表面クリーニング装置。
【請求項９２】
請求項２から１２、１４から１８、２９から３６、３８、４０から５８、および６０から７８のいずれか１項以上ならびにまたは明細書段落［０１３２］から［０１３８］における特徴をさらに備える、請求項９１に記載の表面クリーニング装置。
【発明の詳細な説明】
【技術分野】
【０００１】
先行出願との相互参照
本願は、同時係属中の２０１３年２月２７日に出願された米国特許出願番号第１３／７７９，３７０号、２０１３年２月２７日に出願された米国特許出願番号第１３／７７９，４０４号、２０１３年２月２７日に出願された米国特許出願番号第１３／７７９，５３３号、および２０１３年２月２７日に出願された米国特許出願番号第１３／７７９，４０５号の利益を主張する。上記出願はすべて、その全内容が引用により本明細書に援用される。
【０００２】
分野
本明細書は表面クリーニング装置に関する。好ましい実施形態では、表面クリーニング装置は、ハンドバキュームクリーナまたはポッドなどのポータブル表面クリーニング装置を含む。
【背景技術】
【０００３】
背景
以下は、以下に記載されるものすべてが先行技術の一部であること、または当業者の技術常識の一部であることを承認するものではない。
【０００４】
さまざまな種類の表面クリーニング装置が知られている。表面クリーニング装置はバキュームクリーナを含む。現在、バキュームクリーナは典型的に少なくとも１つのサイクロン式クリーニング段階を用いる。最近になって、サイクロン式ハンドバキュームクリーナも開発されている。たとえば、米国特許番号第７，９３１，７１６号および米国特許出願公開番号第２０１０／０２２９３２８号参照。これらの各々は、サイクロン式クリーニング段階を含むハンドバキュームクリーナを開示している。米国特許番号第７，９３１，７１６号は２つのサイクロン式クリーニング段階を利用するサイクロン式クリーニング段階を開示しており、両方のサイクロン式段階が垂直に延在するサイクロン軸を有する。米国特許出願公開番号第２０１０／０２２９３２８号は、サイクロン軸が水平に延在して吸引モータと同軸であるサイクロン式ハンドバキュームクリーナを開示している。また、手で持運び可能な（たとえばポッド型）サイクロン式バキュームクリーナも知られている（米国特許番号第８，１４６，２０１号参照）。
【発明の概要】
【課題を解決するための手段】
【０００５】
概要
この概要は、以下のより詳細な説明を読者に紹介することを意図しており、いずれかの請求項に記載の、またはまだ請求項に記載されていない発明を制限または定義することを意図していない。本文書の請求項および図面を含む本文書のいずれかの部分で開示される要素または処理工程の任意の組合せまたは下位の組合せにおいて、１つ以上の発明が存在し得る。
【０００６】
広範な一局面によると、バキュームクリーナなどのポッドまたは他の手で持運び可能な表面クリーニング装置が提供され、当該装置は少なくとも１つのサイクロン段階を利用し、サイクロンチャンバは好ましくは前部および後部に位置決めされる２つの排塵口を有する。この設計の利点は、バキュームクリーナの塵搬送容量が高まり得ることである。たとえば、バキュームクリーナが使用中で上向きに傾いている場合、集塵チャンバ内の塵は後方に動きやすい。集塵チャンバ内の塵の量は充填ラインよりも低い場合がある。しかし、バキュームクリーナが上向きに傾くと、塵が後方に動くことによって、集塵チャンバ内の塵が充填ラインよりも高くなることがあり、後方に位置決めされた排塵口を閉塞する可能性がある。間隔が空けられた（好ましくは前方に位置決めされた）第２の排塵口を設けると、そのような状況で使用され得る代替の排塵口を設けることができる。同様に、ハンドバキュームクリーナは前方に傾く場合がある。そのような場合、集塵チャンバ内の塵が前方に動いて前方排塵口を閉塞する可能性がある。しかし、間隔が空けられた（好ましくは後方に位置決めされた）第２の排塵口を設けると、そのような状況で使用され得る代替の排塵口を設けることができる。したがって、異なる排塵口を設けることによって、バキュームクリーナが水平に対してある角度をなして動作中であるにも関わらず、バキュームクリーナは機能し続けることができ得る。そのような設計は、手または肩ストラップなどによって運ばれることが意図されるハンドバキュームクリーナ、ポッドバキュームクリーナもしくは他のバキュームクリーナまたは表面クリーニング装置（手で持運び可能な表面クリーニング装置と称され得る）に使用可能であることが認識されるであろう。
【０００７】
好ましい実施形態では、排塵口は１つまたは複数のサイクロンチャンバの前方端および後方端に隣接して位置決めされることが認識されるであろう。しかし、排塵口を厳密に前方および後方からずらしても、手で持運び可能な表面クリーニング装置が水平に対してある角度をなして動作している時の当該装置の集塵容量はやはり増加することが認識されるであろう。
【０００８】
サイクロンチャンバは、任意の特定の設計であり得る。好ましくは、サイクロンチャンバは下端に設けられる排塵口を有する。たとえば、バキュームクリーナは上部吸気口および上部排気口を有し得る。排塵口は、サイクロンチャンバの下端壁においてまたは下端壁の近くで側壁に設けられ得る。したがって、排塵口は、サイクロンチャンバの側壁に設けられる切抜またはスロットによって規定され得る。しかし、二重排塵口設計は、反転サイクロン（たとえば吸気口および排気口がサイクロンチャンバの下端に設けられ、排塵口が上端に設けられる）などの他のサイクロン構造とともに利用され得ることが認識されるであろう。
【０００９】
排塵口の各々は、同じサイズであり得る。しかし、好ましい実施形態では、排塵口の一方は他方よりも大きい。また、サイクロン吸気口の位置に対する排塵口の位置決めは異なり得る。たとえば、排塵口の一方または両方の径方向の範囲は１５〜１３０°、好ましくは３０〜１０５°、さらに好ましくは６０〜７５°であり得る。排塵口の一方は、サイクロン吸気口と同じサイクロンチャンバの側壁上の径方向位置に位置決めされ得る。たとえば、排塵口がサイクロンチャンバの下端にあり、吸気口が上端にある場合、排塵口の一方は、サイクロンチャンバの側壁を中心とした吸気口からの径方向のずれが１０度未満であり得るように、吸気口の真下に位置決めされ得る。そのような実施形態では、対向する排塵口はより大きく、２倍の大きさであり得る（たとえばその角度範囲は、吸気口と一直線になっているスロットの角度範囲の２倍であり得る）。
【００１０】
手で持運び可能な表面クリーニング装置は、直立表面クリーニング装置の車輪付ベースまたは上部などのベースに装着可能であり得る。そのような場合、手で持運び可能な表面クリーニング装置は、直立表面クリーニング装置またはキャニスタ式表面クリーニング装置の空気処理部材として機能し得る。
【００１１】
別の実施形態では、手で持運び可能な表面クリーニング装置、および好ましくはハンドバキュームクリーナまたはハンド表面クリーニング装置のための改良された空気流路が設けられる。この実施形態に従うと、吸引モータ入口はサイクロンチャンバの上端の下方に、好ましくはサイクロンチャンバまたはサイクロンビンアセンブリ（たとえばサイクロンチャンバおよび集塵チャンバを含むサイクロンビンアセンブリであって、集塵チャンバはサイクロンチャンバの下方に位置決めされ得る）の上端と下端との間の位置に位置決めされる。そのような実施形態によると、空気はサイクロンチャンバの上端または下端のいずれか一方からサイクロンチャンバに入り、サイクロンチャンバの上端壁に位置決めされる排気口を経てサイクロンチャンバから出ることができる。空気はその後、プレモータフィルタを通って進み得る。プレモータフィルタは、好ましくはサイクロンチャンバの上方に位置決めされる。サイクロンチャンバから出る空気は、プレモータフィルタを通って上向きに進んだ後、プレモータフィルタを通ってまたはプレモータフィルタから横方向に（たとえば後方に）間隔が空けられた位置に設けられる導管を経て下向きに進み得る。代替的に、サイクロンチャンバから出る空気は、導管を経てプレモータフィルタを通過した後、プレモータフィルタを通って下向きに進んでから横方向に（たとえば後方に）進み得る。そして、導管は、（たとえばサイクロンチャンバおよび／またはサイクロンチャンバの外部集塵チャンバに隣接した）プレモータフィルタの下流側から吸引モータ入口まで下向きに延在し得る。この下降流導管はサイクロンチャンバおよび集塵チャンバから間隔が空けられ得るか、またはその一方もしくは両方と共通の壁を共有し得る。
【００１２】
この設計の利点は、手で持運び可能な表面クリーニング装置の上部のパネルを開くことによって、掃除または交換のためにプレモータフィルタに手が届くことができるようになることである。同時に、手で持運び可能な表面クリーニング装置は、ボトムドアを開くことによって中身を空けることができる。ボトムドアは、サイクロンチャンバ、集塵チャンバ、および好ましくは両方を同時に開くことができる。したがって、表面クリーニング装置は、底部開放ドアおよび上部開放プレモータフィルタチャンバが設けられる、手で持運び可能な構成で提供される。
【００１３】
本明細書中に記載される空気流路の特徴のいずれも、本明細書中に開示される二重排塵口設計を用いて利用されない可能性があるが、単独で、または本明細書中に開示される任意の他の特徴と組合せて使用され得ることが当業者に認識されるであろう。
【００１４】
別の実施形態では、吸引モータが水平に（たとえばサイクロンの縦軸を横切って）位置決めされ、かつサイクロンチャンバまたはサイクロンビンアセンブリの上端と下端との間に（好ましくはサイクロンまたはサイクロンビンアセンブリの中点にまたは中点に近接して）位置する、手で持運び可能な表面クリーニング装置が提供される。吸引モータハウジングから上向きに延在し、手で持運び可能な表面クリーニング装置の上部に固定されるハンドルが設けられる。たとえば、ハンドルの下端は吸引モータハウジングの上面に設けられ得る。ハンドルの上端は、プレモータフィルタハウジングまで、またはプレモータフィルタハウジングから後方に延在するブリッジ部まで延在し得る。ハンドルは好ましくは、ハンドバキュームクリーナの重心の後方にあるように位置決めされる。好ましくは、重心はさらに、ハンドルの下端の下方に位置する。ハンドルはさらに、重心から上向きに延在する垂直線がハンドルの上部（好ましくはプレモータフィルタハウジングとハンドルの上部との間に延在するブリッジ部）を通過し得るように、前方にある角度をなし得る。この設計の利点は、手で持運び可能な表面クリーニング装置が改良された人間工学を有することである。水平に配置された手で持運び可能な表面クリーニング装置をユーザが持つと、ハンドバキュームクリーナは、２ポンド未満、好ましくは１ポンド未満、好ましくは本質的にゼロである下向きの力をユーザの手に与え得る。
【００１５】
本明細書中に記載されるハンドバキュームクリーナの人間工学的設計の特徴のいずれかは、本明細書中に開示される二重排塵口設計を用いて利用されない可能性があるが、単独で、または本明細書中に開示される任意の他の特徴と組合せて使用され得ることが当業者に認識されるであろう。
【００１６】
別の実施形態に従うと、中身を空けるために集塵チャンバが表面クリーニング装置のハンドルで取外し可能な、手で持運び可能な表面クリーニング装置が提供される。この設計の利点は、ユーザが、集塵チャンバの中身を空けるために、手で持運び可能な表面クリーニング装置全体をゴミ箱などに運ぶ必要がないことである。代わりに、ユーザは集塵チャンバの中身を空ける間、より軽い部分を操作可能であり得る。また、手で持運び可能な表面クリーニング装置のハンドルを利用すると、中身を空けられている最中の集塵チャンバを移動させるまたは持つ簡単な方法がユーザに提供される。また、集塵チャンバは吸引モータから取外されているので、集塵チャンバを吸引モータから取外すと洗うかまたは他の方法で掃除することができる。集塵チャンバはサイクロンチャンバの下部、またはサイクロンチャンバの排塵口と連通している別個のチャンバであり得ることが認識されるであろう。好ましくは、集塵チャンバがサイクロンチャンバの外部にある場合は、サイクロンチャンバおよび集塵チャンバは１つのユニット（たとえばサイクロンビンアセンブリ）としてハンドルで取外し可能であり得る。本明細書中に記載される取外し可能な集塵チャンバおよびハンドルアセンブリの特徴のいずれも、本明細書中に開示される二重排塵口設計を用いて利用されない可能性があるが、単独で、または本明細書中に開示される任意の他の特徴と組合せて使用され得ることが当業者に認識されるであろう。
【００１７】
別の実施形態に従うと、サイクロンチャンバの下流にブリード弁が設けられる。たとえば、サイクロンチャンバから出る空気は、プレモータフィルタの上側がプレモータフィルタの上流または汚れた側であるように、プレモータフィルタを通って導管（渦ファインダの延在部であり得る）を経て上向きに進み得る。そのような構成では、ブリード弁は上昇流導管の内部に位置決めされ、プレモータフィルタの下流側（たとえばプレモータフィルタの下流ヘッダ）で空気流路に接続し得る。したがって、ブリード弁は、プレモータフィルタハウジングの上側のポートを介してブリード空気を吸込み、上昇流導管を通ってサイクロンチャンバからプレモータフィルタの下流の位置までブリード空気を運ぶように位置決めされ得る。この設計の利点は、ブリード弁がハンドバキュームクリーナの動作時に閉塞されない場所に位置決めされ、プレモータフィルタを通る別の通路が不要である（これによってプレモータフィルタの上流表面積の断面積が減少する）ことである。代替の実施形態では、ブリード弁は上昇流導管の外部にあってもよく、プレモータフィルタを通過し得ることが認識されるであろう。
【００１８】
別の実施形態では、ブリード弁は表面クリーニング装置の後面上に設けられ得る。たとえば、ブリード弁は吸引モータハウジングと同軸に、かつその上方に位置決めされ得る。したがって、ブリード空気は本質的にブリード弁を通って前方に進み、サイクロンチャンバ／集塵チャンバに隣接した下降流導管に入った後、後方に向かって吸引モータに入り得る。代替の実施形態では、ブリード弁はハンドバキュームクリーナを中心として径方向に間隔が空けられていてもよいが、依然として下降流路と連通していてもよい。
【００１９】
本明細書中に記載されるブリード弁の特徴のいずれも、本明細書中に開示される二重排塵口設計を用いて使用されない可能性があるが、単独で、または本明細書中に開示される任意の他の特徴と組合せて使用され得ることが当業者に認識されるであろう。
【００２０】
別の実施形態では、手で持運び可能な表面クリーニング装置は、垂直に延在する軸を有するサイクロンチャンバを有し、プレモータフィルタはサイクロンチャンバの上方に位置決めされ、好ましくはサイクロンの軸に垂直に延在するように位置決めされる。したがって、サイクロンチャンバから出る空気は、上向きにプレモータフィルタに進み得る。そのような実施形態では、プレモータフィルタの下側が上流側であってもよく、または代替的に、（渦ファインダなどの導管がプレモータフィルタを通って延在する場合は）上側がプレモータフィルタの上流側であってもよい。この設計の利点は、ヘッダが設けられ得、空気がプレモータフィルタの上流面全体にわたって径方向外向きに分散しやすいことである。
【００２１】
本明細書中に記載されるプレモータフィルタの位置決めの特徴のいずれも、本明細書中に開示される二重排塵口設計を用いて利用されない可能性があるが、単独で、または本明細書中に開示される任意の他の特徴と組合せて使用され得ることが当業者に認識されるであろう。
【００２２】
別の実施形態では、ポッドまたは他の手で持運び可能な表面クリーニング装置に、サイクロンチャンバの上方に位置決めされるプレモータフィルタが設けられ得、渦ファインダまたはその延在部はプレモータフィルタを通ってプレモータフィルタの上流側まで延在し得る。プレモータフィルタは渦ファインダと本質的に同軸であり得る（たとえば、プレモータフィルタはサイクロンチャンバの上に重なり、本質的にその中心がサイクロンチャンバの上方にあり得る）。本明細書中に開示される導管が内部に通っているプレモータフィルタの特徴のいずれも、本明細書中に記載される二重排塵口を用いて利用されない可能性があるが、単独で、または本明細書中に開示される任意の他の特徴と組合せて使用され得ることが当業者に認識されるであろう。
【００２３】
一実施形態では、手で持運び可能な表面クリーニング装置であって、
（ａ）  吸引モータを収納する本体と、
（ｂ）  サイクロンチャンバと、上記サイクロンチャンバの外部の集塵チャンバとを含むサイクロンビンアセンブリとを含み、上記サイクロンチャンバは、上記サイクロンチャンバの下部に設けられる２つの排塵口を含み、さらに、
（ｃ）  汚染空気入口から清浄空気出口まで延在し、上記吸引モータおよび上記サイクロンチャンバを含む空気流路を含む、表面クリーニング装置が提供される。
【００２４】
ある実施形態では、上記排塵口は上記サイクロンチャンバの対向する２つの表面に位置決めされ得る。
【００２５】
ある実施形態では、上記表面クリーニング装置は前端および後端を有し得、上記排塵口の一方は上記サイクロンチャンバの前側に位置決めされ得、上記排塵口の他方は上記サイクロンチャンバの後側に位置決めされ得る。好ましくは、上記集塵チャンバの少なくとも一部は上記排塵口の下方に位置決めされ得る。
【００２６】
ある実施形態では、上記集塵チャンバの少なくとも一部は上記排塵口の下方に位置決めされ得る。
【００２７】
ある実施形態では、上記空気入口は上記サイクロンチャンバの上端に位置決めされ得、上記空気出口は、空気が上記上端を通って上記サイクロンチャンバから出るように構成され得、上記排塵口は上記サイクロンチャンバの下端に位置決めされ得る。
【００２８】
ある実施形態では、上記空気入口および上記排塵口は上記サイクロンチャンバの下端に位置決めされ得、上記空気出口は上記サイクロンチャンバの上端に位置決めされ得る。
【００２９】
ある実施形態では、上記手で持運び可能な表面クリーニング装置はハンドバキュームクリーナを含み得る。
【００３０】
ある実施形態では、上記手で持運び可能な表面クリーニング装置はベースに取外し可能に装着可能であり得、そのように装着されると、上記手で持運び可能な表面クリーニング装置および上記ベースはともに、上記手で持運び可能な表面クリーニング装置がそのように装着された場合の上記表面クリーニング装置の動作構成要素である表面クリーニング装置を規定し、上記少なくとも１つのサイクロンは、上記ベースに装着されると概して直立の位置に方向付けられる。
【００３１】
ある実施形態では、上記手で持運び可能な表面クリーニング装置は、直立バキュームクリーナの上部に取外し可能に装着可能であり得、上記上部は、保管位置と床掃除位置との間の表面クリーニングヘッドに可動に装着される。好ましくは、上記少なくとも１つのサイクロンは、上記直立バキュームクリーナに装着されると、概して直立の位置に方向付けられる。
【００３２】
ある実施形態では、上記集塵チャンバは下方の開放可能なドアを有し得る。
別の実施形態では、表面クリーニング装置であって、
（ａ）  吸引モータを収納する本体と、
（ｂ）  サイクロンチャンバと、上記サイクロンチャンバの外部の集塵チャンバとを含むサイクロンビンアセンブリとを含み、上記サイクロンチャンバは、上記サイクロンチャンバに設けられる２つの排塵口を含み、上記塵チャンバの少なくとも一部は上記排塵口の下方に位置決めされ、さらに、
（ｃ）  汚染空気入口から清浄空気出口まで延在し、上記吸引モータおよび上記空気処理部材を含む空気流路を含む、表面クリーニング装置が提供される。
【００３３】
ある実施形態では、上記排塵口は上記サイクロンチャンバの下端に設けられ得る。
ある実施形態では、上記排塵口は上記サイクロンチャンバの対向する２つの表面に位置決めされ得る。
【００３４】
ある実施形態では、上記表面クリーニング装置は前端および後端を有し得、上記排塵口の一方は上記サイクロンチャンバの前側に位置決めされ得、上記排塵口の他方は上記サイクロンチャンバの後側に位置決めされ得る。
【００３５】
ある実施形態では、上記集塵チャンバの少なくとも一部は上記排塵口の下方に位置決めされ得る。
【００３６】
ある実施形態では、上記集塵チャンバは下方の開放可能なドアを有し得る。
別の実施形態では、表面クリーニング装置であって、
（ａ）  汚染流体入口と、
（ｂ）  上記汚染流体入口の下流のサイクロンチャンバを含むサイクロンビンアセンブリとを含み、上記サイクロンチャンバは、第１の端と、第２の端と、サイクロン軸と、上記第２の端における吸気口および排気口とを含み、さらに、
（ｃ）  上記サイクロンの下流に位置決めされるプレモータフィルタと、
（ｄ）  上記プレモータフィルタの下流に位置決めされる吸引モータと、
（ｅ）  上記プレモータフィルタから上記吸引モータまで延在する空気流路とを含み、上記空気流路は、上記サイクロンチャンバの外部にあり、かつ上記サイクロンチャンバの上記第１および第２の端の間であってこれらの端から横方向に間隔が空けられている位置まで延在する第１の部分と、吸引モータ入口まで横方向に延在する第２の部分とを有し、さらに、
（ｆ）  上記吸引モータの下流の清浄空気出口を含む、表面クリーニング装置が提供される。
【００３７】
ある実施形態では、上記吸引モータは吸引モータ入口を有し得、上記吸引モータ入口は、上記サイクロンチャンバの外部に、かつ上記サイクロンビンアセンブリの上記第１および第２の端の間に位置決めされ得る。
【００３８】
ある実施形態では、上記吸引モータは、上記サイクロン軸に概して垂直なモータ軸を有し得る。
【００３９】
ある実施形態では、上記吸引モータは、上記サイクロン軸に概して垂直なモータ軸を有し得る。
【００４０】
ある実施形態では、上記吸気口は上記第２の端に設けられ得、上記排塵口は上記第１の端に設けられ得る。
【００４１】
ある実施形態では、上記空気流路の上記第１の部分は、上記サイクロンチャンバの外壁に沿って延在し得る。
【００４２】
ある実施形態では、上記表面クリーニング装置は、上記サイクロンチャンバの外部に位置決めされる集塵チャンバをさらに含み得る。上記空気流路の上記第１の部分は、上記集塵チャンバの外壁に沿って延在し得る。
【００４３】
ある実施形態では、上記プレモータフィルタは、上記サイクロンチャンバの上記第２の端から間隔が空けられ得、かつ上記第２の端に対向し得、上記プレモータフィルタは上流側および下流側を有し得、上記上流側は上記下流側よりも、上記サイクロンチャンバから間隔が空けられ得る。
【００４４】
ある実施形態では、上記表面クリーニング装置は、上記サイクロンチャンバの上記排気口と流れ連通しており、上記プレモータフィルタを通って延在する導管をさらに含み得る。
【００４５】
ある実施形態では、上記表面クリーニング装置は、上記プレモータフィルタの上記下流側の下流ヘッダをさらに含み得る。上記空気流路は上記下流ヘッダから下流に延在し得る。
【００４６】
ある実施形態では、上記表面クリーニング装置は、上記プレモータフィルタの上記上流側の上流ヘッダをさらに含み得る。上記上流ヘッダは開放可能であり得る。
【００４７】
ある実施形態では、上記上流ヘッダの少なくとも一部は透明であり得る。
ある実施形態では、上記表面クリーニング装置は手で持運び可能な表面クリーニング装置であり得る。上記表面クリーニング装置は、ハンドル、吸引モータハウジングおよびプレモータフィルタハウジングをさらに含み得る。上記ハンドルは、上記吸引モータハウジングと上記プレモータフィルタハウジングとの間に延在し得る。
【００４８】
ある実施形態では、上記プレモータフィルタハウジングは開放可能であり得る。
ある実施形態では、上記吸引モータは、上記サイクロン軸に概して垂直なモータ軸を有し得る。
【００４９】
ある実施形態では、上記ハンドルは、上記ハンドルのプレモータフィルタ端から横方向に間隔が空けられ得る吸引モータハウジング端を有し得る。上記ハンドルの上記プレモータフィルタ端は、上記サイクロン軸の方向において上記ハンドルの上記吸引モータから間隔が空けられ得る。
【００５０】
ある実施形態では、上記表面クリーニング装置は、周囲を有する開口部をさらに含み得る。上記周囲は、上記ハンドル、上記プレモータフィルタハウジングおよび上記吸引モータハウジングの一部を含み得る。
【００５１】
ある実施形態では、上記表面クリーニング装置は手で持運び可能な表面クリーニング装置であり得る。上記表面クリーニング装置はハンドルをさらに含み得る。上記ハンドルの一部は、上記表面クリーニング装置の重心の後方に配置され得る。
【００５２】
別の実施形態では、表面クリーニング装置であって、
（ａ）  汚染流体入口と、
（ｂ）  上記汚染流体入口の下流のサイクロンチャンバを含むサイクロンビンアセンブリとを含み、上記サイクロンチャンバは、第１の端と、第２の端と、サイクロン軸と、上記第２の端における吸気口および排気口とを含み、さらに、
（ｃ）  上記サイクロンの下流に位置決めされるプレモータフィルタを含み、空気は、第１の方向において上記サイクロンチャンバから上記プレモータフィルタの上流側に進み、さらに、
（ｄ）  上記プレモータフィルタの下流に位置決めされる吸引モータを含み、上記吸引モータは、上記サイクロンビンアセンブリの上記第１および第２の端の間に位置決めされる吸引モータ入口と、上記サイクロン軸に概して垂直なモータ軸とを有し、さらに、
（ｅ）  上記プレモータフィルタから上記吸引モータまで延在する空気流路を含み、上記空気流路は、空気が上記第１の方向と反対方向に進む際に通る部分を含み、さらに、
（ｆ）  上記吸引モータの下流の清浄空気出口を含む、表面クリーニング装置が提供される。
【００５３】
ある実施形態では、上記表面クリーニング装置は、上記空気流路内の入口端と、上記吸引モータの軸と概して平行な軸とを有するブリード弁をさらに含む。
【００５４】
別の実施形態では、前端および後端を有する、手で持運び可能な表面クリーニング装置であって、
（ａ）  汚染流体入口と、
（ｂ）  上記汚染流体入口の下流のサイクロンチャンバを含むサイクロンビンアセンブリとを含み、上記サイクロンチャンバは、下端と、上端と、サイクロン軸と、上記上端における吸気口および排気口とを含み、さらに、
（ｃ）  上流側および下流側を含むプレモータフィルタを含み、上記モータフィルタは上記上端の上方および上記サイクロンチャンバの下流に位置決めされ、さらに、
（ｄ）  上記プレモータフィルタの下流および上記サイクロンビンアセンブリの後方に位置決めされる吸引モータと、
（ｅ）  上記プレモータフィルタから上記吸引モータまで延在する空気流路と、
（ｆ）  上記吸引モータの下流の清浄空気出口とを含む、表面クリーニング装置が提供される。
【００５５】
ある実施形態では、上記吸引モータは、上記サイクロンビンアセンブリの上記下端および上端の間に位置決めされる吸引モータ入口を有し得る。
【００５６】
ある実施形態では、上記吸引モータは、上記サイクロン軸に概して垂直なモータ軸を有し得る。
【００５７】
ある実施形態では、上記吸引モータは、上記サイクロン軸に概して垂直なモータ軸を有し得る。
【００５８】
ある実施形態では、上記吸気口は上記上端に設けられ得、上記排塵口は上記下端に設けられ得、上記サイクロンチャンバの下方に集塵チャンバが位置決めされ得る。
【００５９】
ある実施形態では、上記空気流路は、上記サイクロンチャンバの外部にあり、かつ上記サイクロンチャンバの外壁に沿って吸引モータ入口に向かって途中まで延在する部分を有し得る。
【００６０】
ある実施形態では、上記手で持運び可能な表面クリーニング装置は、上記サイクロンチャンバの外部に位置決めされる集塵チャンバをさらに含み得る。上記空気流路は、上記集塵チャンバの外壁に沿って吸引モータ入口に向かって途中まで延在する部分を有し得る。
【００６１】
ある実施形態では、上記上流側は、上記下流側よりも上記サイクロンチャンバから間隔が空けられ得る。
【００６２】
ある実施形態では、上記手で持運び可能な表面クリーニング装置は、上記サイクロンチャンバの上記排気口と流れ連通しており、上記プレモータフィルタを通って延在する導管をさらに含み得る。
【００６３】
ある実施形態では、上記手で持運び可能な表面クリーニング装置は、上記プレモータフィルタの上記下流側の下流ヘッダをさらに含み得、上記空気流路は上記下流ヘッダから下流に延在し得る。
【００６４】
ある実施形態では、上記手で持運び可能な表面クリーニング装置は、上記プレモータフィルタの上記上流側の上流ヘッダをさらに含み得、上記上流ヘッダは開放可能であり得る。
【００６５】
ある実施形態では、上記上流ヘッダの少なくとも一部は透明である。
ある実施形態では、上記手で持運び可能な表面クリーニング装置は、ハンドルと、吸引モータハウジングと、上記サイクロンチャンバの上方に位置決めされるプレモータフィルタハウジングとをさらに含み得る。上記ハンドルは、上記吸引モータハウジングと上記プレモータフィルタハウジングとの間に延在し得る。
【００６６】
ある実施形態では、上記プレモータフィルタハウジングは開放可能であり得る。
ある実施形態では、上記吸引モータは、上記サイクロン軸に概して垂直なモータ軸を有し得る。
【００６７】
ある実施形態では、上記ハンドルは、上記サイクロンビンアセンブリの後方および上記プレモータフィルタハウジングの下方に間隔が空けられている吸引モータハウジング端と、上記ハンドルの上記吸引モータ端の上方および前方に間隔が空けられているプレモータフィルタ端とを有し得る。
【００６８】
ある実施形態では、上記手で持運び可能な表面クリーニング装置は、周囲を有する開口部をさらに含み得る。上記周囲は、上記ハンドル、上記プレモータフィルタハウジングおよび上記吸引モータハウジングの一部を含み得る。
【００６９】
ある実施形態では、上記手で持運び可能な表面クリーニング装置は、ハンドルをさらに含み得る。上記ハンドルの一部は、上記手で持運び可能な表面クリーニング装置の重心の後方に配置され得る。
【００７０】
ある実施形態では、上記手で持運び可能な表面クリーニング装置は、上記空気流路内に入口端を有するブリード弁をさらに含み得る。
【００７１】
ある実施形態では、上記ブリード弁は、上記吸引モータの軸と概して平行な軸を有し得る。
【００７２】
別の実施形態では、前端および後端を有する、手で持運び可能な表面クリーニング装置であって、
（ａ）  汚染流体入口と、
（ｂ）  上記汚染流体入口の下流のサイクロンチャンバを含むサイクロンビンアセンブリとを含み、上記サイクロンチャンバは、下端と、上端と、サイクロン軸と、上記上端における吸気口および排気口とを含み、さらに、
（ｃ）  上流側および下流側を含むプレモータフィルタと、
（ｄ）  上記プレモータフィルタを通って延在し、上記プレモータフィルタの上記上流側と連通している、上記サイクロン排気口と連通している導管と、
（ｅ）  上記プレモータフィルタの下流および記サイクロンビンアセンブリの後方に位置決めされる吸引モータと、
（ｆ）  上記プレモータフィルタから上記吸引モータまで延在する空気流路と、
（ｇ）  上記吸引モータの下流の清浄空気出口とを含む、表面クリーニング装置が提供される。
【００７３】
ある実施形態では、上記プレモータフィルタは上記サイクロンチャンバの上方に位置決めされ得、上記上流側は上記下流側よりも上記サイクロンチャンバから間隔が空けられている。
【００７４】
ある実施形態では、上記サイクロン排気口は渦ファインダを含み得、上記導管は上記渦ファインダの延在部を含む。
【００７５】
ある実施形態では、上記手で持運び可能な表面クリーニング装置は、上記プレモータフィルタの上記下流側の下流ヘッダをさらに含み得る。上記空気流路は上記下流ヘッダから下流に延在し得る。
【００７６】
ある実施形態では、上記手で持運び可能な表面クリーニング装置は、上記プレモータフィルタの上記上流側の上流ヘッダをさらに含み得る。上記上流ヘッダは開放可能であり得る。
【００７７】
ある実施形態では、上記上流ヘッダの少なくとも一部は透明であり得る。
ある実施形態では、上記吸引モータは、上記サイクロンビンアセンブリの上記下端および上端の間に位置決めされる吸引モータ入口を有し得る。
【００７８】
ある実施形態では、上記吸引モータは、上記サイクロン軸に概して垂直なモータ軸を有し得る。
【００７９】
ある実施形態では、上記吸引モータは、上記サイクロン軸に概して垂直なモータ軸を有し得る。
【００８０】
ある実施形態では、上記吸気口は上記上端に設けられ得、上記排塵口は上記下端に設けられ、上記サイクロンチャンバの下方に集塵チャンバが位置決めされる。
【００８１】
ある実施形態では、上記空気流路モータは、上記サイクロンチャンバの外部にあり、かつ上記サイクロンチャンバの外壁に沿って吸引モータ入口に向かって途中まで延在する部分を有し得る。
【００８２】
ある実施形態では、上記手で持運び可能な表面クリーニング装置は、上記サイクロンチャンバの外部に位置決めされる集塵チャンバをさらに含み得る。上記空気流路は、上記集塵チャンバの外壁に沿って吸引モータ入口に向かって途中まで延在する部分を有し得る。
【００８３】
ある実施形態では、上記手で持運び可能な表面クリーニング装置は、ハンドルと、吸引モータハウジングと、上記サイクロンチャンバの上方に位置決めされるプレモータフィルタハウジングとをさらに含み得る。上記ハンドルは、上記吸引モータハウジングと上記プレモータフィルタハウジングとの間に延在し得る。
【００８４】
ある実施形態では、上記プレモータフィルタハウジングは開放可能であり得る。
ある実施形態では、上記吸引モータは、上記サイクロン軸に概して垂直なモータ軸を有し得る。
【００８５】
ある実施形態では、上記ハンドルは、上記サイクロンビンアセンブリの後方および上記プレモータフィルタハウジングの下方に間隔が空けられている吸引モータハウジング端と、上記ハンドルの上記吸引モータ端の上方および前方に間隔が空けられているプレモータフィルタ端とを有し得る。
【００８６】
ある実施形態では、上記手で持運び可能な表面クリーニング装置は、周囲を有する開口部をさらに含み得る。上記周囲は、上記ハンドル、上記プレモータフィルタハウジングおよび上記吸引モータハウジングの一部を含み得る。
【００８７】
ある実施形態では、上記手で持運び可能な表面クリーニング装置は、ハンドルをさらに含み得る。上記ハンドルの一部は、上記手で持運び可能な表面クリーニング装置の重心の後方に配置され得る。
【００８８】
ある実施形態では、上記手で持運び可能な表面クリーニング装置は、上記空気流路内に入口端を有するブリード弁をさらに含み得る。
【００８９】
ある実施形態では、上記ブリード弁は、上記吸引モータの軸と概して平行な軸を有し得る。
【００９０】
別の実施形態では、前端、後端、上端および下端を有する、手で持運び可能な表面クリーニング装置であって、
（ａ）  汚染流体入口と、
（ｂ）  吸引モータと、上記吸引モータの前方に位置決めされるサイクロンビンアセンブリとを収納する本体とを含み、上記サイクロンビンアセンブリはサイクロンチャンバおよび集塵チャンバを含み、さらに、
（ｃ）  ハンドルを含み、上記ハンドルの少なくとも一部は、上記手で持運び可能な表面クリーニング装置の重心の後方および上方に配置され、さらに、
（ｄ）  上記吸引モータの下流の清浄空気出口と、
（ｅ）  上記汚染空気入口から上記清浄空気出口まで延在し、上記吸引モータおよび上記サイクロンビンアセンブリを含む空気流路とを含む、表面クリーニング装置が提供される。
【００９１】
本実施形態の表面クリーニング装置は、上記の特徴のいずれか１つ以上をさらに含み得る。
【００９２】
別の実施形態では、手で持運び可能な表面クリーニング装置であって、
（ａ）  汚染流体入口から清浄空気出口まで延在する空気流路と、
（ｂ）  ハンドルを含み、サイクロンビンアセンブリおよびプレモータフィルタを収納する本体と、
（ｃ）  吸引モータを含む吸引モータハウジングとを含み、上記吸引モータハウジングは上記本体に取外し可能に結合され、さらに、
（ｄ）  上記吸引モータの下流の清浄空気出口を含む、表面クリーニング装置が提供される。
【００９３】
本実施形態の表面クリーニング装置は、上記の特徴のいずれか１つ以上をさらに含み得る。
【００９４】
別の実施形態では、手で持運び可能な表面クリーニング装置であって、
（ａ）  吸引モータを収納する本体と、
（ｂ）  サイクロンチャンバおよび集塵チャンバを含むサイクロンビンアセンブリとを含み、上記サイクロンチャンバは、サイクロン軸に沿って延在し、吸気口と、上記集塵チャンバと連通している排塵口と、排気口とを含み、さらに、
（ｃ）  汚染空気入口から清浄空気出口まで延在し、上記吸引モータおよび上記サイクロンチャンバを含む空気流路と、
（ｄ）  上記サイクロン軸と同軸の弁軸に沿って延在し、上記空気流路の外部から空気を受ける入口ポートと、上記サイクロン排気口と上記吸引モータとの間の上記空気流路と連通している出口ポートとを有するブリード弁とを含む、表面クリーニング装置が提供される。
【００９５】
本実施形態の表面クリーニング装置は、上記の特徴のいずれか１つ以上をさらに含み得る。
【００９６】
別の実施形態では、手で持運び可能な表面クリーニング装置であって、
（ａ）  吸引モータを収納する本体と、
（ｂ）  サイクロンチャンバおよび集塵チャンバを含むサイクロンビンアセンブリとを含み、上記サイクロンチャンバは、サイクロン軸に沿って延在し、吸気口と、上記集塵チャンバと連通している排塵口と、排気口とを含み、さらに、
（ｃ）  汚染空気入口から清浄空気出口まで延在し、上記吸引モータおよび上記サイクロンチャンバを含む空気流路と、
（ｄ）  上記空気流路内に配置され、上流側と、対向する下流側とを有するプレモータフィルタと、
（ｅ）  上記上流側と概して同一平面上にあり、上記空気流路の外部から空気を受けるように構成される入口ポートと、上記サイクロン排気口と上記吸引モータとの間の上記空気流路と連通している出口ポートとを有するブリード弁とを含む、表面クリーニング装置が提供される。
【００９７】
本実施形態の表面クリーニング装置は、上記の特徴のいずれか１つ以上をさらに含み得る。
【００９８】
別の実施形態では、手で持運び可能な表面クリーニング装置であって、
（ａ）  吸引モータを収納する本体と、
（ｂ）  サイクロンチャンバおよび集塵チャンバを含むサイクロンビンアセンブリとを含み、上記サイクロンチャンバは、サイクロン軸に沿って第１の端と第２の端との間に延在し、第２の端壁を有し、吸気口と、上記集塵チャンバと連通している排塵口と、上記第２の端壁における排気口とを含み、さらに、
（ｃ）  汚染空気入口から清浄空気出口まで延在し、上記吸引モータおよび上記サイクロンチャンバを含む空気流路と、
（ｄ）  上記清浄空気出口と上記吸引モータとの間の上記空気流路内に配置され、上記サイクロンチャンバの上記第２の端壁の少なくとも一部の上に重なるプレモータフィルタとを含み、上記プレモータフィルタは、上流側と、上記上流側から間隔が空けられている対向する下流側と、上記上流側から上記下流側まで延在するフィルタ開口とを有し、さらに、
（ｅ）  上記空気流路の外部から空気を受けるように構成される入口ポートと、上記サイクロン排気口と上記吸引モータとの間の上記空気流路と連通している出口ポートとを有するブリード弁を含み、上記ブリード弁は、上記フィルタ開口の内部に少なくとも部分的に入れ子になっている、表面クリーニング装置が提供される。
【００９９】
本実施形態の表面クリーニング装置は、上記の特徴のいずれか１つ以上をさらに含み得る。
【０１００】
別の実施形態では、手で持運び可能な表面クリーニング装置であって、
（ａ）  吸引モータを収納する本体と、
（ｂ）  サイクロンチャンバおよび集塵チャンバを含むサイクロンビンアセンブリとを含み、上記サイクロンチャンバは、吸気口と、上記集塵チャンバと連通している排塵口と、渦ファインダとを含み、さらに、
（ｃ）  汚染空気入口から清浄空気出口まで延在し、上記吸引モータおよび上記サイクロンチャンバを含む空気流路と、
（ｄ）  上記清浄空気出口と上記吸引モータとの間の上記空気流路内に配置されるプレモータフィルタと、
（ｅ）  上記空気流路の外部から空気を受けるように構成される入口ポートと、上記サイクロン排気口と上記吸引モータとの間の上記空気流路と連通している出口ポートとを有するブリード弁とを含み、上記ブリード弁は、上記渦ファインダの内部に少なくとも部分的に入れ子になっている、表面クリーニング装置が提供される。
【０１０１】
本実施形態の表面クリーニング装置は、上記の特徴のいずれか１つ以上をさらに含み得る。
【０１０２】
別の実施形態では、手で持運び可能な表面クリーニング装置であって、
（ａ）  吸引モータを収納する本体と、
（ｂ）  サイクロンチャンバおよび集塵チャンバを含むサイクロンビンアセンブリとを含み、上記サイクロンチャンバは、サイクロン軸に沿って延在し、吸気口と、上記集塵チャンバと連通している排塵口と、排気口とを含み、さらに、
（ｃ）  汚染空気入口から清浄空気出口まで延在し、上記吸引モータおよび上記サイクロンチャンバを含む空気流路と、
（ｄ）  上記サイクロンビンアセンブリと上記吸引モータとの間の上記空気流路内に配置され、上流側および下流側を含むプレモータフィルタと、
（ｅ）  上記空気流路の外部から空気を受ける入口ポートと、上記プレモータフィルタの上記下流側の上流に位置決めされる出口ポートとを有するブリード弁と、
（ｆ）  上記ブリード弁の上記出口ポートと連通している入口端と、上記プレモータフィルタと上記吸引モータとの間の上記空気流路と連通している出口端とを有する導管とを含む、表面クリーニング装置が提供される。
【０１０３】
本実施形態の表面クリーニング装置は、上記の特徴のいずれか１つ以上をさらに含み得る。
【０１０４】
表面クリーニング装置は、本明細書に含まれる特徴のいずれか１つ以上を具体化し得ること、および当該特徴は任意の特定の組合せまたは下位の組合せで使用され得ることが当業者に認識されるであろう。
【０１０５】
本明細書に含まれる図面は本明細書の教示の物品、方法、および装置のさまざまな例を示すためものであり、教示内容の範囲を制限することを決して意図していない。
【図面の簡単な説明】
【０１０６】
【図１】ハンドヘルド表面クリーニング装置の例の斜視図である。
【図２】クリーニング用具に取付けられた図１の表面クリーニング装置の斜視図である。
【図３】図１の表面クリーニング装置の一部分解斜視図である。
【図４】図１の表面クリーニング装置の別の一部分解斜視図である。
【図５】ボトムドアが開位置にある、図１の表面クリーニング装置の底面斜視図である。
【図６】図１の線６−６に沿った、図１の表面クリーニング装置の断面図である。
【図７】表面クリーニング装置が前方に傾いている、図６の断面図である。
【図８】表面クリーニング装置が後方に傾いている、図６の断面図である。
【図９】図１の表面クリーニング装置の側面図である。
【図１０】中身を空けるためにサイクロンビンアセンブリおよびハンドルが取外された、表面クリーニング装置の別の実施形態の側面図である。
【図１１】図１０の表面クリーニング装置の背面斜視図である。
【図１２】サイクロンビンアセンブリの例の概略上部平面図である。
【図１３】サイクロンビンアセンブリの別の例の概略上部平面図である。
【図１４】サイクロンビンアセンブリの別の例の概略上部平面図である。
【図１５】サイクロンビンアセンブリの別の例の概略上部平面図である。
【図１６】表面クリーニング装置の別の実施形態の断面図である。
【図１７】表面クリーニング装置の別の実施形態の斜視図である。
【図１８】表面クリーニング装置の別の実施形態の斜視図である。
【図１９】表面クリーニング装置の別の実施形態の前方からの斜視図である。
【図２０】図１９の表面クリーニング装置の後方からの別の斜視図である。
【図２１】図１９の表面クリーニング装置の一部分解斜視図である。
【図２２】図１９の表面クリーニング装置の一部の斜視図である。
【図２３】図２２の線２３−２３に沿った、図２２の断面図である。
【図２４】ボトムドアが開位置にある、図２３の断面図である。
【図２５】図１９の表面クリーニング装置の底部斜視図である。
【図２６】図１９の線２６−２６に沿った、図１９の表面クリーニング装置の断面図である。
【図２７】図１９の線２７−２７に沿った断面図である。
【図２８】カバーが開いている、図１９の表面クリーニング装置の斜視図である。
【図２９】フィルタカートリッジが取外された、図２８の斜視図である。
【図３０】フィルタカートリッジからフィルタが取外された、図２９の斜視図である。
【図３１】表面クリーニング装置の別の実施形態の一部の断面図である。
【図３２】表面クリーニング装置の別の実施形態の一部の断面図である。
【図３３】フィルタカートリッジの異なる実施形態である図２９の斜視図である。
【図３４】フィルタカートリッジが表面クリーニング装置の内部にある、図３３の線３４−３４に沿ったフィルタカートリッジの断面図である。
【発明を実施するための形態】
【０１０７】
詳細な説明
図１を参照して、表面クリーニング装置９００の実施形態を示す。示される実施形態では、表面クリーニング装置９００は、手で持運び可能な、またはハンドヘルドのバキュームクリーナである。表面クリーニング装置９００はユーザの手、または肩ストラップなどによって運ぶことができ、ポッドまたは他のポータブル表面クリーニング装置の形態であってもよいことが認識されるであろう。表面クリーニング装置９００は、バキュームクリーナまたは抽出機などであってもよい。そのような表面クリーニング装置はすべて、本明細書では手で持運び可能な表面クリーニング装置と称される。随意に、表面クリーニング装置９００は、たとえば直立バキュームクリーナ、キャニスタバキュームクリーナ、スティックバキュームクリーナ、および乾湿バキュームクリーナなどを形成するように、ベースに取外し可能に装着されてもよい。標準的な壁の電気コンセントに接続可能な電気コード（図示せず）によって、表面クリーニング装置９００に電力が供給され得る。代替的にまたは付加的に、表面クリーニング装置用の電源は、たとえば１つ以上のバッテリを含む搭載エネルギ貯蔵装置であってもよい。
【０１０８】
表面クリーニング装置９００は、ハンドル９０２、汚染空気入口９０３、清浄空気出口９０４（たとえば図６参照）およびそれらの間に延在する空気流路を有する本体９０１を含む。示される実施形態では、汚染空気入口９０３はコネクタ９０６の入口端９０５である。随意に、入口端を用いて表面を直接掃除することもできる。代替的に、入口端９０５は、たとえば表面クリーニングヘッド９０８に枢動可能に接続される柄９０７（図２）、ノズルおよび可撓性吸引ホースを含む任意の好適なホース、クリーニング用具またはアクセサリの下流端に接続されてもよい。図２に示される構成では、表面クリーニング装置９００を用いて、従来の直立型バキュームクリーナと類似の態様で床または他の表面を掃除することができる。
【０１０９】
再び図１を参照して、コネクタ９０６は、ホース、クリーニング用具または他のアクセサリに接続されるように、好ましくは着脱可能に接続されるように操作可能である任意の好適なコネクタであり得る。随意に、コネクタ９０６は、空気流接続を提供するのに加えて、電気的接続をさらに含んでもよい。電気的接続を提供することによって、コネクタに結合されるクリーニング用具およびアクセサリに、表面クリーニング装置９００によって電力を供給することができ得る。たとえば、表面クリーニングユニット９００を用いて、表面クリーニングヘッド、または他の好適な用具に電力および吸引の両方を提供することができる。示される実施形態では、コネクタ９０６は雌型ソケット部材９０９の形態の電気的結合を含み、対応する雄型突起部材が、入口端９０５に接続されるホース、クリーニング用具および／またはアクセサリに設けられ得る。電気的結合の通電側に雌型ソケット９０９を設けることによって、ユーザが電気的接触にうっかり触れてしまうことを防ぐのに役立ち得る。他の実施形態では、ソケット部材９０９は雄型コネクタを含み得る。そのような場合、雄型コネクタは露出すると通電が切られる（すなわちそれらは雌型コネクタにプラグを差込まれない）ことが好ましい。
【０１１０】
空気流路は、汚染空気入口９０３から、空気処理部材を通って延在する。空気処理部材は、たとえば空気から汚染粒子およびデブリを取除くことを含む所望の態様で空気を処理可能な任意の好適な部材であり得る。示される例では、空気処理部材はサイクロンビンアセンブリ９１０を含む。代替的に、空気処理部材はバッグ、フィルタまたは他の空気処理手段を含んでもよい。示される実施形態では、サイクロンビンアセンブリは表面クリーニング装置の本体９０１の一部を形成する。吸引モータ９１１（図６参照）が本体９０１のモータハウジング９１２部の内部に装着され、サイクロンビンアセンブリ９１０と流体連通している。この構成では、吸引モータ９１１はサイクロンビンアセンブリ９１０の下流にあり、清浄空気出口９０４は吸引モータ９１１の下流にある。
【０１１１】
サイクロンビンアセンブリ
以下は、任意の表面クリーニング装置において単独で、または本明細書中に開示される任意の他の単数もしくは複数の特徴との任意の組合せもしくは下位の組合せで使用され得るサイクロンおよびサイクロンビンアセンブリの説明である。
【０１１２】
図５および図６を参照して、示される実施形態では、サイクロンビンアセンブリ９１０はサイクロンチャンバ９１３および集塵チャンバ９１４を含む。サイクロンチャンバ９１３および集塵チャンバ９１４は、任意の好適な構成であり得る。
【０１１３】
示される実施形態では、集塵チャンバ９１４は、サイクロンチャンバ９１３の外側または外部に、およびその実質的に下方に位置決めされる。好ましくは、集塵チャンバのすべてではないが少なくとも一部がサイクロンチャンバの下方にある。集塵チャンバ９１４は、側壁９１５、第１の端壁９１６、および対向する第２の端壁９１７を含む。集塵チャンバ９１４は集塵軸９１８に沿って延在する。
【０１１４】
集塵チャンバ９１４は当該技術において公知の任意の手段によって中身を空けることが可能であってもよく、好ましくはサイクロンチャンバ９１３と同時に開放可能である。好ましくは、第２の集塵チャンバ端壁９１７は、たとえばヒンジ９１９を用いて、たとえば集塵チャンバ側壁９１５に可動に（たとえば枢動可能に）接続される。この構成では、第２の集塵チャンバ端壁９１７は、集塵チャンバ９１４の中身を空けるための開放可能なドアとして機能し、集塵チャンバ９１４の内部から塵およびデブリを空にするために図５に示されるように開くことができる。第２の集塵チャンバ端壁９１７は当該技術において公知の任意の手段によって、たとえば解放可能なラッチ９１９ａによって閉位置に保持され得る。示される例では、ドアが開くと後向きに揺動するように、ヒンジ９１９は端壁９１７の後縁に設けられ、ラッチ９１９ａは端壁９１７の前部に設けられる。代替的に、ヒンジおよびラッチは異なる位置にあってもよく、ドアは異なる方向にまたは態様で開いてもよい。随意に、端壁は枢動可能または開放可能である代わりに、取外し可能であってもよい。
【０１１５】
示される実施形態では、サイクロンチャンバ９１３はサイクロン軸９２０に沿って延在し、側壁９２１によって囲まれる。サイクロンチャンバ９１３は、吸気口９２２および排気口９２３、ならびに集塵チャンバ９１４と連通している２つの排塵口９２４ａおよび９２４ｂを含む。吸気口、排気口および排塵口は、当該技術において公知の任意の設計であり得る。好ましくは、吸気口９２２は側壁９２１に対して概して接線方向に向けられているため、サイクロンチャンバ９１３に入る空気はサイクロンチャンバ９１３の内部で渦巻いて循環しやすくなり、それによって空気流から塵およびデブリを取去った後、排気口９２３を経てチャンバを出る。吸気口９２２は、サイクロン軸９２０に概して垂直であり得る入口軸９２５に沿って延在し、示される例では吸引モータ軸９２６と概して平行であり、かつその上方にオフセットしている。
【０１１６】
示される例では、サイクロン排気口９２３は導管部材または渦ファインダ９２７を含む。随意に、スクリーン９２８が渦ファインダ９２７の上に位置決めされて、リント、綿毛および他の微細なデブリを濾過するのに役立ち得る。好ましくは、スクリーン９２８は取外し可能であり得る。随意に、スクリーン９２８は、スクリーン９２８の遠位の内側または自由端９３０がスクリーン９２８のベース９３３における直径９３２および／または吸気口９２２よりも小さい直径９３１を有するように、テーパ状であってもよい。
【０１１７】
随意に、スクリーン９２８は、スクリーンの自由端９３０の直径９３１がスクリーン９２８のベース９３３の直径９３２および／または吸気口９２２の約６０％〜約１００％であり、ベース直径９３２および／または吸気口９２２の約６０％〜９０％、約７０〜８０％であり得、好ましくは約６３〜６７％であるように構成されてもよい。
【０１１８】
吸気口９２２は、入口直径９３４と、関連の流入量断面積（入口軸９２５に垂直な平面９３５内で測定）とを有する。好ましくは、排気口９２３は、排気口９２３の直径９３６、およびしたがって排気口の対応する流量範囲が吸気口９２２の直径９３４と同一であるようにサイズ決めされる。代替的に、排気口直径９３６は、吸気口直径９３４の約５０％〜約１５０％、および約８５〜１１５％であってもよい。
【０１１９】
示される例では、サイクロンビンアセンブリ９１０およびサイクロンチャンバ９１３は、概して垂直の反転サイクロン構成で配置される。この構成では、吸気口９２２および排気口９２３は、サイクロンチャンバ９１３の上端側に設けられる。代替的に、サイクロンビンアセンブリ９１０およびサイクロンチャンバ９１３は、たとえば水平サイクロンを含む別の向きに、または、たとえば集塵チャンバがサイクロンチャンバと並んでいる、および／もしくは入口および出口が異なる位置にあるなどの他の構成で設けられてもよい。
【０１２０】
随意に、側壁９２１の一部またはすべては、サイクロンビンアセンブリ９１０の外壁および集塵チャンバ側壁９１５の一部と一致してもよい（図５および図６参照）。これは、サイクロンビンアセンブリの全体サイズを減少させるのに役立ち得る。代替的に、側壁９２１は上記側壁と異なっていてもよい。代替の実施形態では、サイクロンチャンバ９１５は１つの排塵口９２４のみ、または２つよりも多い排塵口を含んでもよい。
【０１２１】
図７を参照して、示される実施形態では、サイクロンチャンバ９１３は第１のまたは上部の端壁９３７を含む。端壁９３７は側壁９２１の上端に接続され、サイクロンチャンバ９１３の上端を囲む。示される例では、端壁９３７と側壁９２１との接合部９３８は曲面９３９を含む。曲面９３９の半径９４０は、吸気口９２２の半径（すなわち直径９３４の半分）と同様であるように選択されてもよく、随意に、接合面９３９が吸気口と同じ半径を有するように選択されてもよい。
【０１２２】
随意に、端壁９３７と渦ファインダ９２７との接合部９４１も湾曲していてもよく、好ましくは、端壁９３７と側壁９２１との接合部の半径９４０と同様または同一である半径９４２を有するようにサイズ決めされる。接合部９３８，９４１の一方または両方に曲面を設けることによって背圧を減少させるのに役立ち得、サイクロン効率を向上させるのに役立ち得る。随意に、サイクロンチャンバ９１３の上端壁９３７は、上方からサイクロンチャンバ９１３の内部に手が届くことができるようにするために開放可能または取外し可能であってもよい。
【０１２３】
さらに図５を参照して、デフレクタまたはアレスタ板９４３が、サイクロンチャンバ９１３と集塵チャンバ９１７との界面において、サイクロンチャンバ９１３の下端に位置決めされ得る。アレスタ板９４３は好ましくは、サイクロンチャンバ９１３の下端の実質的にすべてを覆うように、かつサイクロン側壁９２１の下端に当接してサイクロンチャンバの下端壁を形成するようにサイズ決めされる。アレスタ板９４３が側壁９２１の下端に当接すると、排塵口９２４ａ，９２４ｂを形成する間隙またはスロットを規定するのに役立つ。この構成では、排塵口スロット９２４ａ，９２４ｂは、３辺がサイクロンチャンバ側壁９２１によって囲まれ、第４の辺がアレスタ板９４３によって囲まれる。代替的に、排塵口スロット９２４ａ，９２４ｂは側壁９２１によって完全に囲まれてもよく、アレスタ板９４３から間隔が空けられていてもよい。示される例では、排塵口９２４ａ，９２４ｂは吸気口９２２および排気口９２３から垂直に間隔が空けられており、サイクロンチャンバ９１３の反対の下端に位置決めされる。
【０１２４】
示される実施形態では、アレスタ板９４３はサイクロンチャンバの底部を形成し、任意の好適な構成であり得る。随意に、アレスタ板９４３は側壁９２１に隣接した自身の位置に固定されてもよく、または可動もしくは開放可能であってもよい。開放可能なアレスタ板９４３を設けることによって、サイクロンチャンバ９１３の中身を空けることを容易にするのに役立ち得る。随意に、アレスタ板９４３は、たとえば集塵チャンバ９１７を含む表面クリーニング装置の別の部分と同時に開放可能であってもよい。
【０１２５】
示される実施形態では、アレスタ板９４３は支持部材９４４に装着され、支持部材９４４によって開放可能な壁９１７から間隔を空けて支持される。支持部材９４４は任意の好適な構成であり得、アレスタ板９４３を支持可能であり、かつサイクロンチャンバ内の空気流またはサイクロンチャンバ９１３から出る汚染粒子によってアレスタ板９４３に及ぼされる応力に抵抗可能である任意の好適な材料で形成され得る。この構成では、アレスタ板９４３は端壁９１７と同時に開放可能であるため、端壁９１７を開くと集塵チャンバ９１４およびサイクロンチャンバ９１３が同時に開く。代替的に、アレスタ板９４３は側壁９２１（または表面クリーニング装置の他の部分）に装着され、端壁９１７と一斉に開かなくてもよい。
【０１２６】
図８を参照して、各排塵口９２４ａおよび９２４ｂは、軸方向に測定されるスロット高９４７によって互いに間隔が空けられた上縁９４５および下縁９４６を含むスロットである。スロット高９４７は、たとえば１ｍｍ〜４９ｍｍ以上を含む任意の好適な距離であり得、好ましくは約３ｍｍ〜約２５ｍｍである。各スロット９２４ａ，９２４ｂは、サイクロンチャンバ側壁９２１の周囲に沿って測定されるスロット幅９４９によって間隔が空けられた２つの側縁９４８（図５）をさらに含む。各スロット幅は、サイクロンチャンバ側壁９２１の周囲の約５％〜約５０％であり得、好ましくは約１０％〜約３５％であり得、約２５％であり得る。示される実施形態では、サイクロンチャンバ側壁９２１は軸方向の断面積が円形であり、排塵口９２４ｂによって規定される角度９５０（図５）は約２０°〜約１８０°であり得、約３５°〜１２５°、および約４５°〜９０°であり得る。示される実施形態では、スロットの中心線から測定される排塵口９２４ａと９２４ｂとの間の角度９５１（図５）は１８０°である。随意に、排塵口９２４ａ，９２４ｂは概して同一であってもよい。代替的に、排塵口９２４ａおよび９２４ｂは異なる構成であってもよい（すなわち異なる高さおよび／または幅を有してもよい）。随意に、サイクロン吸気口と同一の端にあるスロット９２４ａは、対向する排塵口９２４ｂよりも小さく、約半分のサイズであってもよい。
【０１２７】
図１２を参照して、代替の実施形態のサイクロンビンアセンブリ２９１０の断面概略図が示される。サイクロンビンアセンブリ２９１０はサイクロンビンアセンブリ９１０と概して同様であり、２０００番台で示される同様の参照符号を用いて類似の特徴を同定する。この概略図は、概して正方形の集塵チャンバ２９１４の内部に位置決めされる円形サイクロンチャンバ２９１３の例の上面図を示す。サイクロンチャンバ２９１３は、接線吸気口２９２２および排気口２９２３を含む。２つの排塵口２９２４ａおよび２９２４ｂがサイクロンチャンバ側壁２９２１に設けられる。排塵口２９２４ａ，２９２４ｂ間の角度２９５１は約１８０°である。この実施形態では、空気循環方向（矢印２９５３）における吸気口２９２２（吸気口とサイクロンチャンバ側壁２９２１との接線交差の点から測定される）と第１の塵スロット２９２４ａとの間の角度２９５２は約９０°であり、吸気口２９２２と第２の塵スロット２９２４ｂとの間の角度２９５２ｂは約２７０°である。代替的に、角度２９５２ａおよび２９５２ｂは異なっていてもよい。
【０１２８】
示される構成では、各スロットは約４５°である角度２９５０ａ，２９５０ｂを規定し、塵スロット２９２４ａの（空気循環方向における）前縁は塵スロット２９２４ｂの前縁と一直線になっており、塵スロット２９２４ａの（空気循環方向における）後縁は塵スロット２９２４ｂの後縁と一直線になっている。
【０１２９】
図１３を参照して、別の代替の実施形態のサイクロンビンアセンブリ３９１０の断面概略図を示す。サイクロンビンアセンブリ３９１０はサイクロンビンアセンブリ９１０と概して同様であり、３０００番台で示される同様の参照符号を用いて類似の特徴を同定する。この実施形態は、排塵口３９２４ａおよび３９２４ｂの位置が吸気口３９２２に対して９０°移動している以外は図１２の実施形態と同様である。この構成では、排塵口３９２４ａ，３９２４ｂ間の角度３９５１は１８０°のままであるが、排塵口３９２４ａと吸気口との間の角度は０°であり、排塵口３９２４ｂと吸気口との間の角度３９５２ｂは１８０°である。
【０１３０】
図１４を参照して、別の代替の実施形態のサイクロンビンアセンブリの断面概略図を示す。サイクロンビンアセンブリ４９１０はサイクロンビンアセンブリ９１０と概して同様であり、４０００番台で示される同様の参照符号を用いて類似の特徴を同定する。この例では、個々の塵スロット４９２４ａおよび４９２４ｂは図１２および図１３に示されるスロットと同一の構成を有するが、異なって位置決めされている。この構成では、第１の塵スロット４９２４ａは吸気口４９２２に概して隣接して位置決めされ、吸気口４９２２と第１の塵スロット４９２４ａとの間の角度４９５２ａは吸気口から約３０°下流にあり、第１の塵スロットと第２の塵スロット４９２４ｂとの間の角度４９５２ｂは約９０°である。この構成では、塵スロット４９２４ａおよび４９２４ｂの両方ともサイクロンチャンバ４９１３の同一側に（すなわち互いに１８０°以内に）位置決めされる。
【０１３１】
図１５を参照して、別の代替の実施形態のサイクロンビンアセンブリの断面概略図を示す。サイクロンビンアセンブリ５９１０はサイクロンビンアセンブリ９１０と概して同様であり、５０００番台で示される同様の参照符号を用いて類似の特徴を同定する。この例では、塵スロット５９２４ａおよび５９２４ｂは互いに反対である（すなわち角度５９５１は約１８０°である）が、各塵スロット５９４２ａおよび５９２４ｂは、各塵スロットによって規定される角度５９５０ａおよび５９５０ｂが約１５０°であるように、他の示される例よりもはるかに幅広である。この構成では、塵スロット５９４２ａおよび５９２４ｂは、サイクロンチャンバ５９１３の全周囲の５０％を超える範囲を表わす。さらにこの実施形態では、サイクロンチャンバ側壁５９２１の一部は集塵チャンバ側壁５９１６と一致する。随意に、サイクロンチャンバ壁５９２１が集塵チャンバ５９１４の全長にわたって延在する場合、この構成では、サイクロンチャンバ５９１３は、集塵チャンバ５９１４を、サイクロンチャンバ５９１３によって分けられる２つの異なる部分５９１４ａおよび５９１４ｂにさらに分割してもよい。各集塵領域５９１４ａおよび５９１４ｂは、塵スロット５９４２ａおよび５９２４ｂのそれぞれと連通している。また、この示される実施形態では、吸気口軸５９２５は接線方向に向けられていない（すなわち接線面５９５４と平行ではない）。代わりに、吸気口５９２２は、接線面５９５４に対して角度５９５５をなして配置される。これによって、サイクロンチャンバに入る空気流の特徴が変わり得る。
【０１３２】
再び図７を参照して、示される実施形態では、排塵口９２４ａおよび９２４ｂは互いに概して反対に配置され、互いに約１８０°（図５の中心間角度９５１として測定される）に配置される。この構成では、排塵口９２４ａはサイクロンチャンバ９１３の前部に（たとえばコネクタおよび吸気口側に配置される側壁の一部に）位置決めされ、排塵口９２４ｂはサイクロンチャンバ９１３の後部に位置決めされる。表面クリーニング装置９００の使用時、塵およびデブリは集塵チャンバ９１４の内部に蓄積され得、表面クリーニング装置がユーザによって操作されると、集塵９１４チャンバの内部の塵は重力によって動きやすくなり得、集塵９１４チャンバの最下部に向かって集まり得る。たとえば、コネクタが下向きに角度をなしてハンドルが持上げられるように表面クリーニング装置が前方に傾く（図７）と、塵９５６は集塵チャンバ９１４の前部に向かって集まりやすくなり得る。塵９５６の高さが十分高い場合、塵は示されるように前部排塵口９２４ａを部分的にまたは完全に閉塞し得る。この構成では、第１の排塵口９２４ａは閉塞され得るが、後部排塵口９２４ｂは自由のままである。同様に、表面クリーニング装置が後方に傾くと、塵は集塵チャンバの後部に集まりやすくなり得（図８）、後部排塵口９２４ｂを部分的にまたは完全に閉塞し得る。この構成では、後部排塵口９２４ｂは閉塞されるが、前部排塵口９２４ａは自由である。サイクロンチャンバの両側に２つの排塵口９２４ａおよび９２４ｂを設けることによって、表面クリーニング装置９００が前方または後方に傾いたとしても、少なくとも１つの出口９２４ａおよび９２４ｂは自由で閉塞されないままであるため、塵がサイクロンチャンバ９１３から出ることを可能にすることを確実にするのに役立ち得る。代替的に、塵スロットはサイクロンチャンバの前部または後部側に設けられる変わりに、他の場所に位置決めされてもよい。たとえば、サイクロンチャンバは後部排塵口および側部排塵口、またはサイクロンチャンバの左右側に設けられる２つの側部出口を有するように構成されてもよい。
【０１３３】
プレモータフィルタ
随意に、サイクロンビンアセンブリと吸引モータとの間の空気流路内に１つ以上のプレモータフィルタが配置されてもよい。代替的にまたは付加的に、１つ以上のプレモータフィルタが吸引モータの下流に設けられてもよい。以下は、任意の表面クリーニング装置において単独で、または本明細書中に開示される任意の他の単数もしくは複数の特徴との任意の組合せもしくは下位の組合せで使用され得るプレモータフィルタハウジング構成の説明である。
【０１３４】
図３を参照して、示される実施形態では、プレモータフィルタチャンバまたはハウジング９５６が、サイクロンビンアセンブリ９１０の上方に、表面クリーニング装置９００の本体９０１の一部として設けられる。さらに図８を参照して、プレモータフィルタチャンバ９５６は、底壁９５７、側壁９５８および上壁９５８ａによって囲まれる。示される例では、上壁９５８ａは上部カバー９５９によって設けられる。好ましくは、底壁、側壁および上部カバーの少なくとも１つは、プレモータフィルタチャンバの内部に手が届くことができるようにするために開放可能である。示される実施形態では、上部カバー９５９は、チャンバ９５６の内部に手が届くことができるようにするために取外し可能である（図３）。代替的に、上部カバーは取外し可能である代わりに、枢動可能に開放可能であるか、または他の方法で本体に可動に結合されてもよい。
【０１３５】
１つ以上のフィルタがプレモータフィルタチャンバ９５６の内部に位置決めされて、排気口から出る気流が吸引モータの入口に流れ込む前に気流から微粒子を濾過し得る。フィルタは任意の好適な構成であり得、任意の好適な材料で形成され得る。示される実施形態では、フォームフィルタ９６０および下流フェルトフィルタ９６１がプレモータフィルタチャンバ９５６の内部に位置決めされる。
【０１３６】
示される例では、底壁９５７は、チャンバ９５６の内部に位置決めされるフィルタ９６０，９６１を支持する、複数の直立した支持リブ９６２を含む。支持リブ９６２は底壁９５７の表面９６３の上方にフィルタ９６０，９６１を保持して下部ヘッダまたはヘッドスペース９６４を規定し、空気がフィルタ９６１の底面９６５と底壁９５７との間を横方向に流れることを可能にし得る。示される実施形態では、下部または下流ヘッドスペース９６４は、フェルト９６１の外面９６５と底壁９５７の表面９６３との間に規定される。
【０１３７】
表面クリーニング装置の全体サイズを減少させるのに役立つように、示される実施形態では、プレモータフィルタチャンバ９５６、およびその内部のフィルタ９６０，９６１はサイクロンチャンバ９１３の上方に位置決めされ、サイクロンチャンバ９１３の上端を覆う。この構成では、フォームフィルタ９６０を含む平面９６６は、サイクロンチャンバ９１３の排気口９２３を含む平面９６７と概して平行であり、かつその上方に間隔が空けられており、両平面９６６，９６７はサイクロン軸９２０に概して垂直である。この構成においてフィルタを配置すると、プレモータフィルタの上流側（この例ではフォームフィルタ９６０の上側９６８）がプレモータフィルタの下流側（この例ではフェルトフィルタ９６１の下面９６５）よりもサイクロンチャンバ９１３から間隔が空けられることになる。代替的に、他の実施形態では、プレモータフィルタチャンバはサイクロンチャンバの上端の一部のみを覆ってもよく、および／またはサイクロンチャンバから横方向に間隔が空けられてもよく、および／または平面９６７に対して傾斜していてもよい。
【０１３８】
示される実施形態では、プレモータフィルタチャンバまたは下流ヘッダ９５６は、フォームフィルタ９６０の上流側９６８がチャンバの頂部側に設けられ、空気が概して下向きにフィルタを流れるように構成される。この構成では、上部カバー９５９は、上部カバーが閉じられる（図８）と上部または上流ヘッドスペースまたはヘッダ９７０が上部カバー９５９の内面とフォームフィルタ９６０の上流側９６８との間に設けられるように成形される。サイクロン排気口９２３と上流ヘッドスペース９７０との間に空気流連通を提供するために、渦ファインダ９２７またはその延在部はプレモータフィルタを通って延在し、好ましくはプレモータフィルタチャンバ９５６の内部に入ってその内部のフィルタ９６０，９６１を通って延在し、上流ヘッドスペース９７０の内部かつフィルタ９６０，９６１の上方に位置する出口端９７１を有することが好ましい。渦ファインダ９２７の延在部を収容するために、各フィルタは対応して成形される導管開口９７２（図４）を含む。他の流路を用いて渦ファインダ９２７を上流ヘッドスペース９７０と空気連通させてもよいことが認識されるであろう。
【０１３９】
表面クリーニング装置の使用時、サイクロンチャンバ９１３から出る空気は渦ファインダ９２７を経て上流ヘッドスペース９５６に流れ込み得る。上流ヘッドスペースの内部で、空気はフォームフィルタ９６０の上流面９６８を横切って横方向に、かつフィルタ９６０，９６１を通って下向きに、下流ヘッドスペース９６４に流れ込み得る。
【０１４０】
この構成では、フォームフィルタ９６０の上側９８８はサイクロン排気口９２３から出る汚染空気に晒され、使用時に汚れるか汚くなる可能性がある。随意に、上部カバー９５９は、フィルタ９６０の上側９６８の上に重なる少なくとも１つの透明領域を含んでもよい。たとえば、上部カバーの一部またはすべてが透明材料（プラスチックなど）で形成されてもよく、または１つ以上の窓が上部カバー部材の内部に設けられてもよい。透明領域を設けることによって、ユーザは上部カバー９５９を開くことなくフィルタ９６０の上流側６９８の状態を目視検査することができる。代替的に、上部カバー９５９はいずれの種類の透明部分または検査領域を含まなくてもよく、ユーザは上部カバー９５９が開かれるか取外されるとフィルタ９６０の上流側９６８を検査してもよい。
【０１４１】
代替的に、プレモータフィルタは渦ファインダから横方向に設けられてもよい。たとえば、図１６を参照して、別の実施形態の表面クリーニング装置６９００の断面図を示す。装置６９００は装置９００と同様であり、６０００番台で示される同様の参照番号を用いて類似の特徴を同定する。この実施形態では、プレモータフィルタ６９６０は渦ファインダ６９２７から横方向に間隔が空けられている。渦ファインダの延在部６９２７ａがフィルタ６９６０の頂部の上方に延在して集塵領域を規定し、当該領域は、蓋を開けて表面クリーニング装置を逆さにすると中身を空けることができる。
【０１４２】
下降流導管
随意に、吸引モータの入口は、サイクロンビンアセンブリの一方側（好ましくは後側）の長さに沿って位置決めされる。以下は、任意の表面クリーニング装置において単独で、または本明細書中に開示される任意の他の単数もしくは複数の特徴との任意の組合せもしくは下位の組合せで使用され得る流路の説明である。
【０１４３】
吸引モータは好ましくは、サイクロン軸に概して垂直な軸を有し、サイクロンビンアセンブリの上端と下端との間に、好ましくはサイクロンチャンバの上端と下端との間に吸気口を有する。したがって、空気は下流ヘッドスペース９６４から、本体９０１の内部に形成される内部空気導管９７４を経て吸引モータ９１１の入口９７３に流れ込み得る。空気は吸引モータ９１１を通って吸込まれた後、モータ出口９７５から排気され、清浄空気出口９０４を経て噴出され得る（図６も参照）。
【０１４４】
示される実施形態では、内部空気導管９７４は本体９０１の内部に形成され、サイクロンチャンバ９１３および集塵チャンバ９１４の外部にあり、サイクロンチャンバ側壁９２１の外面および集塵チャンバ側壁９１５の外面によって部分的に囲まれる。空気導管９７４はプレモータフィルタチャンバ９５６と吸引モータ９１１との間に概して垂直に延在し、吸引モータ９１１およびサイクロンチャンバ９１３の真横に位置決めされる。吸引モータ９１１は、その吸気口９７３がサイクロンチャンバ９１３の上端と下端との間に垂直に存在し、かつモータ軸９２６がサイクロンチャンバ９１３を通る（集塵チャンバの上方−図６参照）ような高さに位置決めされる。示される実施形態では、入口軸９２５は空気導管９７４に交差し、プレモータフィルタチャンバ９５６の下方に位置決めされてプレモータフィルタチャンバに交差しない。
【０１４５】
内部空気導管９７４は垂直に対してある角度をなして下向きに延在し得る。それは、サイクロンチャンバおよび／または集塵チャンバの側壁によって１辺が囲まれてもよいし囲まれなくてもよい。
【０１４６】
ブリード弁
随意に、吸引モータ９１１の上流の空気流路が詰まった場合に備えて、吸引モータ入口９７３にブリード空気を供給するためのブリード弁９７６が設けられてもよい。表面クリーニング装置の使用時、空気流路は、たとえば、クリーニング柄および／もしくは吸引ホースがデブリで閉塞した場合、サイクロンチャンバがデブリで目詰まりした場合、ならびに／またはプレモータフィルタがフィルタを通る空気流を著しく妨げる程度まで汚なくなった場合などの、多数の異なる方法で詰まるかまたはそうでなければ閉塞し得る。好ましくは、ブリード弁９７６は、吸引モータ入口９７３の上流の、かつ可能性がある詰まりまたは閉塞場所の下流の場所にある空気流路にブリード空気を供給するように位置決めおよび構成され得る。
【０１４７】
以下は、任意の表面クリーニング装置において単独で、または本明細書中に開示される任意の他の単数もしくは複数の特徴との任意の組合せもしくは下位の組合せで使用され得るブリード弁の位置決めおよび向きの説明である。
【０１４８】
たとえば、ブリード弁９７６は、プレモータフィルタチャンバ９５６と吸引モータ入口９７３との間の空気流路９７４にブリード空気を供給するように位置決めされ得る。ブリード弁９７６は、吸引モータ９１１の上流の空気流路に閉塞が起こった場合に自動的に開く感圧弁を含む、任意の好適な弁であり得る。
【０１４９】
示される実施形態では、ブリード弁９７６は、吸引モータ軸９２６と概して平行であり、かつサイクロン軸９２０に概して直交する弁軸９７７に沿って延在する。外気を提供するため、ブリード弁９７６の入口端と空気流連通しているポート９７８が本体９０１に設けられる。ブリード弁の出口端は空気導管９７４と連通している。
【０１５０】
示される実施形態では、ブリード弁９７６はプレモータフィルタチャンバ９５６と吸引モータ９１１との間の高さに位置し、プレモータフィルタチャンバ９５６（およびその内部のフィルタ９６０，９６１）の下に横方向に一部重なり、吸引モータ９１１およびそのハウジング９１２の上に横方向に一部重なる。代替的に、ブリード弁９７６は異なる高さ（たとえば吸引モータの下方および／またはプレモータフィルタチャンバと同一直線上またはその上方）に位置してもよく、吸引モータ、プレモータフィルタチャンバまたはその内部のフィルタに横方向に部分的に重ならなくてもよい。
【０１５１】
代替的に、ブリード弁は表面クリーニング装置の本体を横方向に通って延在する代わりに、異なる場所に配置されてもよい。図１６を参照して、別の実施形態の表面クリーニング装置６９００の断面図を示す。装置６９００は装置９００と同様であり、６０００番台で示される同様の参照番号を用いて類似の特徴を同定する。この実施形態では、ブリード弁６９７６はプレモータフィルタチャンバ６９５６の内部に位置決めされ、軸６９７７に沿って概して垂直に方向付けられている。示される例では、ブリード弁６９７６はサイクロンチャンバと概して同軸である。ブリード弁に外気を供給するために、ポート６９７８がプレモータフィルタハウジング６９５６の上部カバー６９５９に設けられ、ブリード弁６９７６の入口端と空気流連通している。ブリード弁６９７６の出口端は、導管６９７９を経てまたは随意に下流ヘッドスペース６９６４を経て空気導管６９７４と空気流連通しており、プレモータフィルタが閉塞した場合に吸引モータに外気を供給する。導管６９７９は任意の好適な導管であり得、吸引モータ６９１１に所望量の空気を供給するようにサイズ決めされ得る。
【０１５２】
図１６に例示されるように、プレモータフィルタチャンバ６９５６内の単数または複数のプレモータフィルタ６９６０はサイクロンチャンバ６９１３の上端壁の上に一部重なってもよく、各フィルタは、渦ファインダ６９２７および排気口６９２３から間隔が空けられ、かつこれらと一直線になり得る、またはこれらと概して横方向に位置合わせされ得る（すなわちサイクロン軸６９２０に概して直交する方向において）軸方向に延在する開口を含んでもよい。示される構成では、開口はブリード弁６９７６よりも大きい直径を有する。この構成では、ブリード弁６９７６はフィルタ開口の内部に引込んでいる／入れ子になっており、ブリード弁６９７６の入口ポートはフィルタ６９６０の上流側と概して面一である／同一平面上にある。プレモータフィルタ内のブリード弁６９７６を少なくとも部分的に軸方向に入れ子にすることによって、単数または複数のプレモータフィルタおよびブリード弁を収容するのに必要なハウジングの全体サイズを減少させるのに役立ち得る。ブリード弁は、プレモータフィルタの位置または向きに関わらずプレモータフィルタの内部に入れ子にされ得ることが認識されるであろう。
【０１５３】
ハンドル
随意に、表面クリーニング装置には、ユーザが表面クリーニング装置を把持して操作できるようにする１つ以上のハンドルが設けられてもよい。各ハンドルは１つ以上のグリップ部を有し得、ユーザがハンドルを１つ以上の構成および／または向きで把持することができるように構成され得る。概して直立のまたはピストルグリップ型のハンドルを設けることによって、ユーザは自身の手首を快適な人間工学的位置に保ちながら表面クリーニング装置を把持することができ得る。
【０１５４】
以下は、任意の表面クリーニング装置において単独で、または本明細書中に開示される任意の他の単数もしくは複数の特徴との任意の組合せもしくは下位の組合せで使用され得るハンドルの位置決めおよび向きの説明である。
【０１５５】
図９を参照して、示される実施形態では、ハンドル９０２は概して直立のハンドルとして構成され、ピストルグリップ型ハンドルとして構成されるグリップ部９８０を含む。ハンドル９０２は、吸引モータハウジング９１２（たとえばその上面）に隣接している第１のまたは底部の端９８１と、下端９８１から上方に間隔が空けられている第２のまたは上部の端９８２とを有する。ハンドルの上端９８１はプレモータフィルタチャンバ９５６のハウジングの後側壁に隣接し得るか、またはプレモータフィルタハウジングから後方に延在するブリッジ部に取付けられ得る。
【０１５６】
ハンドグリップ部９８０は、ハンドル軸９８３に沿って延在し得る。示される実施形態では、ハンドル軸９８３は前方にやや傾いており、垂直軸に対して角度９８３ａを形成する。角度９８３ａは任意の好適な角度であり得、好ましくは約０〜４５°であり、約２０〜３５°であってもよい。ハンドル軸９８３は、サイクロン軸、吸引モータ軸９２６および吸引モータハウジング９１２およびプレモータフィルタハウジング９５６の延在部である本体のブリッジ部９０１ａに交差している。
【０１５７】
ハンドグリップ部９８０を把持すると、ユーザの指はハンドグリップ部９８０の前で開口部９８４を通り得る。示される実施形態では、開口部９８４の周囲は、吸引モータハウジング９１２の上部９１２ａ（図７）、ハンドグリップ部９８０の前面９８０ａ、プレモータフィルタチャンバ側壁９５８の後部および本体の接続部によって形成される。随意に、ブリード弁９７６の吸気口ポートは、ハンドル開口部９８４の周囲を形成する表面のうちの１つに形成されてもよい。
【０１５８】
好ましくは、表面クリーニング装置の一次オン／オフ電源スイッチは、ユーザがハンドル９０２によってバキュームクリーナを持ちながらバキュームクリーナをオンまたはオフにできるように、ハンドル９０２に近接して位置決めされる。図４および図７を参照して、示される実施形態では、一次電源スイッチ９８５はハンドル９０２の上端に設けられ、ユーザがハンドグリップ部９８０を持ちながら自身の親指で押すことができるように構成される。ハンドグリップ部９８０は、一次電源スイッチと吸引モータ９１１に電力を供給する電気回路との間に通信を提供するように電気配線または機械的リンク機構をルーティングするための内部通路を含み得る。随意に、一次電源スイッチ９８５は、ハンドル軸９０８３によって交差されるように位置決めされてもよい。代替的に、一次電源スイッチ９８５は別の好適な場所に設けられてもよい。
【０１５９】
随意に、ハンドル９０２は、表面クリーニング装置が水平に配置された位置（たとえば軸９８８が水平である）に持たれた時の装置の手の重量が２ｌｂｓ未満、好ましくは１ｌｂｓ未満、より好ましくは約０ｌｂｓであるように位置決めされ、それによってユーザの手首に対する応力を減少させることができる。したがって、ユーザは、モータがハンドルの下方にあっても、わずかな下向きの力しか経験しなくて済む。ハンドル９０２はしたがって、表面クリーニング装置の重心の後ろにあるように位置決めされ得る。好ましくは、ハンドルはさらに、そのすべてまたは一部（たとえばユーザが握る部分）が重心よりも高い位置にあるように構成され得る。
【０１６０】
ハンドルを重心の後ろまたは随意に上方に位置決めすることによって、表面クリーニング装置は、ユーザによって水平に持たれると前方に傾きやすくなる。これによって、表面クリーニング装置の使用時に表面クリーニング装置の前部が下向きに回転しやすくなり得、表面クリーニング装置の重量の少なくとも一部を、床に転がり接触する表面クリーニングヘッド（または他の道具）によって運ぶことが可能になり得る。
【０１６１】
たとえば、図９を参照して、示される実施形態では、重心９８６は、ハンドルの前方にある鉛直面９８７およびハンドル９０２の下端９８１の下方にある水平面９８８内に位置している。示される実施形態では、ハンドル軸９８３は表面クリーニング装置の重心に交差していない。
【０１６２】
着脱可能なモータハウジング
以下は、任意の表面クリーニング装置において単独で、または本明細書中に開示される任意の他の単数もしくは複数の特徴との任意の組合せもしくは下位の組合せで使用され得る着脱可能なモータハウジングの説明である。
【０１６３】
随意に、吸引モータおよびその周囲のモータハウジングの少なくとも一部は、表面クリーニング装置の本体から着脱可能であってもよい。図１０および図１１を参照して、代替の実施形態の表面クリーニング装置７９００を示す。装置７９００は装置９００と概して同様であり、７０００番台で示される同様の参照符号を用いて類似の特徴を同定する。この実施形態では、吸引モータハウジング７９１２、およびその内部の吸引モータがサイクロンビンアセンブリ７９１０、ハンドル７９０２、および好ましくはプレモータフィルタハウジング７９５６から分離可能であるように、吸引モータハウジング７９１２は本体７９０１に着脱可能に接続され得る。吸引モータおよび関連の電気部品は、表面クリーニング装置７９００の重量の大部分を形成し得る。本体７９０１から吸引モータハウジング７９１２を分離することによって、ユーザは吸引モータの余分な重量を持ち歩くことなく、ハンドル７９０２を用いて本体７９０１を操作し、集塵チャンバ７９１４およびサイクロン７９１３の中身を空けることができ得る。
【０１６４】
着脱可能な吸引モータハウジングモジュール７９１２は、任意の好適な取付け機構を用いて本体７９０１に取外し可能に結合され得る。示される実施形態では、取付け機構は、ユーザによってトリガされ得るラッチ７９９０である。この実施形態では、吸引モータモジュール７９１２は、本体７９０１上の相互の排気口ポート７９９２に結合されるように構成される吸気口ポート７９９１を含む。ポート７９９１，７９９２は任意の適合する構成であり得、気密接続を提供するのに役立つように１つ以上のシールまたはガスケット部材がそれらの界面に設けられ得る。
【０１６５】
空気流接続に加えて一次オン／オフスイッチ７９８５が本体部に設けられる（上述のように）場合、吸引モータモジュール７９１２は、本体７９０１上の対応する制御ポートと嵌合するように構成される少なくとも１つの制御／電気的接続をさらに含む。示される例では、本体７９０１上のオン／オフスイッチ７９８５は電気スイッチであり、吸引モータモジュール７９１２と本体との制御接続は、スイッチ７９８５に電気を供給する嵌合電気コネクタ（たとえば雄型突起７９９３および雌型電気ソケット７９９４）を含む。代替的に、一次オン／オフスイッチ７９８５は、機械的リンク機構を介して吸引モータモジュールに接続される機械スイッチであってもよい。そのような構成では、制御接続は、オン／オフスイッチの動きを変換して吸引モータハウジング内の電気回路を開閉する機械的リンク機構を含み得る。代替的に、オン／オフスイッチと吸引モータハウジングとの間に制御信号が無線で（たとえば無線信号によって）または任意の他の好適な態様で送信されてもよい。そのような構成では、吸引モータモジュールおよび本体は物理的な制御接続を含まなくてもよい。
【０１６６】
随意に、表面クリーニング装置７９００は、電気部品の大部分またはすべてが吸引モータハウジング７９１２の内部に位置するように構成されてもよい。そのような構成では、モータハウジング７９１２を本体７９０１から分離すると、本体７９０１内に残っている部品の実質的にすべてを、吸引モータおよび他の電気部品を水または他の洗浄材料に晒すことなく洗うことができる。これは、表面クリーニング装置７９００を洗う際に電気部品をうっかり傷付けてしまうことを防ぐのに役立ち得る。
【０１６７】
他の表面クリーニング装置
随意に、表面クリーニング装置はハンドヘルドまたは持運び可能な表面クリーニング装置の代わりに、本明細書中に説明される特徴のいくつかまたはすべてを有するサイクロンビンアセンブリを含む直立式表面クリーニング装置またはキャニスタ式クリーニング装置であってもよい。図１７を参照して、代替の実施形態の表面クリーニング装置８９００を示す。装置８９００は、汚染空気入口８９０３、清浄空気出口８９０４、および吸引モータハウジング８９１２に装着されるサイクロンビンアセンブリ８９１０を含む。サイクロンビンアセンブリ８９１０とモータハウジング８９１２との間にプレモータフィルタチャンバ８９５６が規定される。サイクロンビンアセンブリ８９１０、吸引モータハウジング８９１２およびプレモータフィルタチャンバ８９５６は、本明細書中に記載される特徴のいくつかまたはすべてを単独でまたは互いに組合せて含み得る。
【０１６８】
図１８を参照して、代替の実施形態の表面クリーニング装置９９００を示す。装置９９００は、汚染空気入口９９０３、清浄空気出口９９０４、および吸引モータハウジング９９１２に装着されるサイクロンビンアセンブリ９９１０を含む。サイクロンビンアセンブリ９９１０とモータハウジング９９１２との間にプレモータフィルタチャンバ９９５６が規定される。サイクロンビンアセンブリ９９１０、吸引モータハウジング９９１２およびプレモータフィルタチャンバ９９５６は、本明細書中に記載される特徴のいくつかまたはすべてを単独でまたは互いに組合せて含み得る。
【０１６９】
代替の手で持運び可能な表面クリーニング装置
以下の説明は、手で持運び可能な表面クリーニング装置の代替構成における、本明細書中に開示される多数の特徴を例示する。図１９を参照して、別の実施形態の手で持運び可能な表面クリーニング装置１０９００を示す。表面クリーニング装置１０９００は表面クリーニング装置９００と同様であり、１０，０００番台で示される類似の参照番号を用いて同様の特徴を同定する。
【０１７０】
表面クリーニング装置９００は、ハンドル１０９０２、汚染空気入口１０９０３、清浄空気出口１０９０４（たとえば図２６参照）およびそれらの間に延在する空気流路を有する本体１０９０１を含む。示される実施形態では、汚染空気入口１０９０３はコネクタ１０９０６の入口端である。随意に、入口端１０９０５を用いて表面を直接掃除することもできる。代替的に、入口端は、たとえば柄、ノズルおよび可撓性吸引ホースを含む、任意の好適なクリーニング用具またはアクセサリの下流端に接続されてもよい。
【０１７１】
コネクタ１０９０６は、クリーニング用具または他のアクセサリに接続されるように、好ましくは着脱可能に接続されるように操作可能である任意の好適なコネクタであり得る。随意に、コネクタは、空気流接続を提供するのに加えて、電気的接続１０９０９（図２０）をさらに含んでもよい。電気的接続１０９０９を提供することによって、コネクタ１０９０６に結合されるクリーニング用具およびアクセサリに、表面クリーニング装置１０９００によって電力を供給することができ得る。たとえば、表面クリーニングユニット１０９００を用いて、表面クリーニングヘッド、または他の好適な用具に電力および吸引の両方を提供することができる。示される実施形態では、コネクタ１０９０９は雌型ソケット部材の形態の電気的結合を含み、対応する雄型突起部材がクリーニング用具および／またはアクセサリに設けられ得る。電気的結合の通電側に雌型ソケットを設けることによって、ユーザが電気的接触にうっかり触れてしまうことを防ぐのに役立ち得る。
【０１７２】
図２１を参照して、単独でまたは本明細書中に開示される任意の他の特徴とともに使用され得る構成技術を例示する。この実施形態では、表面クリーニング装置の本体部１０９０１は、コアクリーニングユニット１１０００および外側シェル１１００１を含む。示される例では、コアクリーニングユニット１１０００は、汚染空気入口１０９０３、空気処理部材１０９１０、プレモータフィルタチャンバ１０９５６、吸引モータ１０９１１および清浄空気出口１０９０４を含む、概して自立型の機能ユニットである。外側シェルは、嵌合サイドパネル１１００２、表面クリーニング装置のハンドル部１１００３（一次電源スイッチ１０９８５を含む）および開放可能なプレモータフィルタチャンバカバー１０９５９を含む。外側シェル１１００１がコアクリーニングユニット１１０００の周りに組立てられると、表面クリーニング装置１０９００の露出した外面はコアクリーニングユニット１１０００および外側シェル１１００１の一部の組合せから形成される。たとえば、外部吸引モータハウジング１０９１２およびハンドル１０９０２は外側シェル１１００１によって設けられるが、シェルは、サイクロンビンアセンブリ１０９１０側壁の一部が組立後の構成において目に見え続けるように成形される。これらの部分が少なくとも部分的に透明であれば、それらによってユーザは集塵チャンバ１０９１４を覗き込んで、集塵チャンバ１０９１４が限度一杯になりつつあるか否かを判断することができ得る。
【０１７３】
空気流路は、汚染空気入口１０９０３から、表面クリーニング装置の本体の一部を形成するサイクロンビンアセンブリ１０９１０を通って延在する。吸引モータ１０９１１（図２６参照）がコアクリーニングユニット１１０００のモータハウジングフレーム１１００４（図２１）の内部に装着され、サイクロンビンアセンブリ１０９１０と流体連通している。この構成では、吸引モータ１０９１１はサイクロンビンアセンブリ１０９１０の下流にあり、清浄空気出口１０９０４は吸引モータ１０９１１の下流にある。
【０１７４】
図２３および図２６を参照して、いずれも単独でまたは本明細書中に開示される任意の他の特徴とともに使用され得る、ユニフローサイクロンおよび／または丸い接合部を有するサイクロンおよび／または挿入部材を有するサイクロンを例示する。示される実施形態では、サイクロンビンアセンブリ１０９０１は、サイクロンチャンバ１０９１３および集塵チャンバ１０９１４を含む。集塵チャンバ１０９１４は、側壁１０９１５、第１の端壁１０９１６、および反対の第２の端壁１０９１７を含む。集塵チャンバ１０９１４は当該技術において公知の任意の手段によって中身を空けることができ得、好ましくはサイクロンチャンバ１０９１３と同時に開放可能である。好ましくは、第２の集塵チャンバ端壁１０９１７は、ヒンジ１０９１９によって集塵チャンバ側壁に枢動可能に接続される。第２の集塵チャンバ端壁１０９１３は、集塵チャンバ１０９１４の中身を空けるための開放可能なドアとして機能し、集塵チャンバ１０９１４の内部から塵およびデブリを空にするために開くことができる（図２４および図２５）。第２の集塵チャンバ端壁１０９１７は、当該技術において公知の任意の手段によって、たとえば解放可能なラッチ１０９１９ａによって、閉位置に保持され得る。示される例では、ドアが開くと後向きに揺動するように、ヒンジ１０９１９は端壁１０９１７の後縁に設けられ、ラッチ１０９１９ａは端壁１０９１７の前部に設けられる。代替的に、ヒンジ１０９１９およびラッチ１０９１９ａは異なる位置にあってもよく、ドア１０９１７は異なる方向にまたは態様で開いてもよい。随意に、端壁１０９１７は開放可能である代わりに、取外し可能であってもよい。
【０１７５】
示される実施形態では、サイクロンチャンバ１０９１３はサイクロン軸１０９２０に沿って延在し、側壁１０９２１によって囲まれる。サイクロンチャンバ１０９１３は、吸気口１０９２２、および吸気口１０９２２の下流に流体接続している排気口１０９２３、および集塵チャンバ１０９１４と連通している１つの排塵口１０９２４を含む。この実施形態では、集塵チャンバ１０９１４はサイクロンチャンバ１０９１３に隣接して位置決めされ、サイクロンチャンバ１０９１３と並んだ構成でサイクロンチャンバを少なくとも部分的に取囲む。
【０１７６】
好ましくは、吸気口１０９２２は側壁１０９２１に対して概して接線方向に向けられているため、サイクロンチャンバに入る空気はサイクロンチャンバ１０９１３の内部で渦巻いて循環しやすくなり、それによって空気流から塵およびデブリを取去った後、排気口１０９２３を経てチャンバを出る。吸気口１０９２２は、サイクロン軸１０９２０に概して垂直の入口軸１０９２５に沿って延在し、示される例では吸引モータ軸１０９２６と概して平行であり、かつその上方にオフセットしている。
【０１７７】
示される例では、サイクロン排気口１０９２３は渦ファインダ１０９２７を含む。随意に、スクリーン１０９２８が渦ファインダ１０９２７の上に位置決めされて、リント、綿毛および他の微細なデブリを濾過するのに役立ち得る。好ましくは、スクリーン１０９２８は取外し可能であり得る。
【０１７８】
吸気口１０９２２は、入口直径１０９３４と、関連の流入量断面積（入口軸に垂直な平面内で測定）とを有する。好ましくは、排気口１０９２３は、排気口１０９２３の直径１０９３２、およびしたがって排気口１０９２３の対応する流量範囲が吸気口の直径と同一であるようにサイズ決めされる。代替的に、排気口直径１０９３２は、吸気口直径１０９２５の約５０％〜約１５０％、および約８５〜１１５％であってもよい。
【０１７９】
示される例では、サイクロンビンアセンブリ１０９１０およびサイクロンチャンバ１０９１３は、概して垂直のユニフローサイクロン構成で配置される。ユニフローサイクロンでは、吸気口はサイクロンチャンバの一端側に位置し、排気口はサイクロンチャンバの他端側に設けられる。この構成では、空気が同一の端を経てサイクロンチャンバに出入りする図１から図１８の実施形態に示されるサイクロンチャンバとは対照的に、空気はサイクロンチャンバの一端に入り、概してサイクロンチャンバの他端を経て外に出る。示される例では、吸気口１０９２２はサイクロンチャンバ１０９１３の下端側に設けられ、排気口１０９２３はサイクロンチャンバ１０９１３の上端側に設けられるため、空気はサイクロンチャンバ１０９１３の底部に流れ込み、サイクロンチャンバ１０９１３の頂部から出る。代替的に、吸気口および排気口の場所は逆であってもよい。
【０１８０】
随意に、サイクロンビンアセンブリ１０９１０およびサイクロンチャンバ１０９１３は、垂直構成の代わりに、たとえば水平サイクロンを含む別の向きに設けられてもよい。
【０１８１】
随意に、サイクロン側壁１０９２１の一部またはすべては、サイクロンビンアセンブリ１０９１０の外壁および集塵チャンバ側壁１０９１５の一部と一致してもよい。図２３を参照して、示される実施形態では、サイクロンチャンバ側壁１０９２１の前部はサイクロンビンアセンブリ１０９１０の外壁と一致しており、サイクロン側壁１０９２１の後部はサイクロンチャンバ１０９１３を集塵チャンバ１０９１４から分離するのに役立つ。これは、サイクロンビンアセンブリ１０９１０の全体サイズを減少させるのに役立ち得る。代替的に、側壁１０９２１は側壁１０９１５と異なっていてもよい。代替の実施形態では、サイクロンチャンバ１０９１３は２つの排塵口１０９２４のみ、または２つよりも多い排塵口を含んでもよい。
【０１８２】
示される実施形態では、サイクロンチャンバ１０９１３は、第１のまたは上部の端壁１０９３７（図２３）および第２のまたは下部の端壁１０９４３を含む。上端壁１０９３７は側壁１０９２１の上端に接続される。示される例では、示される例では、端壁１０９３７と側壁１０９２１との接合部１０９３８は、いずれの種類の角度をなすまたは半径方向の表面も含まない、比較的鋭利な角である。対照的に、下端壁１０９４３は、接合曲面１１００６を含む接合部１１００５でサイクロン側壁１０９２１の下端と出合う（図２７も参照）。曲面１１００６の半径１１００７は、吸気口の半径（たとえば直径１０９３４の半分）に基づいて選択されてもよく、随意に、接合面１１００６が吸気口１０９２２と同じ半径を有するように選択されてもよい。
【０１８３】
接合曲面は、側壁の一部として、または端壁の一部として設けられ得る。示される実施形態では、接合曲面１１００６は、底端壁に設けられてサイクロンチャンバ１０９１３の内部へと上向きに延在する挿入部材１１００８の一部として設けられる。挿入部材は、サイクロンチャンバの内部へ延在してスクリーンの遠端１０９３０に係合する、上向きに延在する突出部材１１００９（図２３）をさらに含む。渦ファインダ１０９２７、スクリーン１０９２８および突出部材１１００９はともに、サイクロンチャンバ１０９１０の第１の端壁１０９３７と第２の端壁１０９４３との間に延在する、概して連続的な内部カラム部材を形成する。突出部材１１００９を設けることによって、サイクロンチャンバの内部の空気流を誘導するのに役立ち得、スクリーン１０９２８の遠端１０９３０を支持するおよび／または安定化させるのに役立ち得る。
【０１８４】
随意に、端壁１０９４３と突出部材１１００９との接合部１１０１０は曲面１１０１１（図２３および図２６参照）を含んでもよく、好ましくは、表面１１０１１が半径１１００７と同じ半径１１０１２を有するようにサイズ決めされる。端壁１０９４３と側壁１０９２１との接合部に曲面１１００６および１１０１１を設けることによって背圧を減少させるのに役立ち得、サイクロン効率を向上させるのに役立ち得る。好ましくは、２つの接合曲面１１００６および１１０１１は、幅１１０１４を有する概して平坦な移行平面１１０１３によって分離される。平坦な移行面１１０１３を設けることによって空気流を向上させるのに役立ち得、および／または背圧を減少させてサイクロン効率を向上させるのに役立ち得る。
【０１８５】
示される実施形態では、サイクロンチャンバ１０９１３の第２の端壁１０９４３、およびその上に設けられる挿入部材１１００８は、集塵チャンバ１０９１４の底壁を設ける開放可能なボトムドア１０９１７と一体である。この構成では、このドアを開くとサイクロンチャンバ１０９１３および集塵チャンバ１０９１４が同時に開き（たとえば図２４および図２５参照）、中身を空けることができる。
【０１８６】
示される実施形態では、排塵口１０９２４は、サイクロンチャンバ側壁１０９２１によって設けられる底縁および側縁と、上端壁１０９３７によって設けられる上縁とを有するスロットの形態である。代替的に、スロット１０９２４の４つの端縁のすべてがサイクロンチャンバ側壁１０９２１によって設けられてもよい。塵スロット１０９２４はサイクロンチャンバ１０９２１の後部に位置決めされ、吸気口１０９２２と概して反対である。示される実施形態では、サイクロンチャンバの上壁１０９３７は、集塵チャンバ１０９１４の上壁１０９１６（図２３および図２６）と一体である。
【０１８７】
随意に、サイクロンビンアセンブリ１０９１０と吸引モータ１０９１１との間の空気流路内に、１つ以上のプレモータフィルタが配置されてもよい。代替的にまたは付加的に、１つ以上のポストモータフィルタが吸引モータの下流に設けられてもよい。
【０１８８】
図２７を参照して、単独でまたは本明細書中に開示される任意の他の特徴とともに使用され得るフィルタハウジング構成を例示する。示される実施形態では、プレモータフィルタチャンバまたはハウジング１０９５６が、サイクロン１０９１３および集塵チャンバ１０９１４の上壁１０９３７，１０９１６と開放可能カバー１０９５９との間に設けられる。この構成では、プレモータフィルタチャンバ１０９５６の底壁１０９５７はサイクロン１０９１３および集塵チャンバ１０９１４の上壁１０９３７，１０９１６と一体であり、プレモータフィルタチャンバ１０９５６の上壁１０９５８ａおよび側壁１０９５８はフィルタカートリッジハウジング１１０１５を介して設けられる（図２８も参照）。フィルタカートリッジハウジング１１０１５は開放可能カバー１０９５９から分離している。１つ以上のフィルタがプレモータフィルタチャンバの内部に位置決めされて、排気口から出る気流が吸引モータの入口に流れ込む前に気流から微粒子を濾過し得る。フィルタは任意の好適な構成であり得、任意の好適な材料で形成され得る。示される実施形態では、フォームフィルタ１０９６０およびフェルトフィルタ１９６１（図３０）がプレモータフィルタチャンバ１０９５６の内部に位置決めされる。
【０１８９】
図２７〜図３０を参照して、フィルタカートリッジは、上壁１０９５８ａと、上壁から下向きに延在してプレモータフィルタ１０９６０，１０９６１を取囲む側壁１０９５８とを含む、概してドーム形状の部材である。プレモータフィルタ１０９６０，１０９６１はカートリッジ部材１１０１５の内部に収まるように成形され、カートリッジ部材に挿入される（図２９）と、フェルトフィルタ１０９６１の下流側１０９６５がフィルタカートリッジ１１０１５の底面を形成する。フィルタカートリッジ１１０１５がその使用位置に挿入される（図２８）と、プレモータフィルタの下流側１０９６５が底壁１０９５７上の支持リブ１０９６２（図２９参照）上に静止し、下流ヘッドスペース１０９６４（図２７）がフィルタ１０９６１の下流側１０９６５と底壁１０９６７との間に規定される。
【０１９０】
この実施形態では、上流ヘッドスペース１０９７０（図２７）は、（カバー１０９５９によって形成される代わりに）プレモータフィルタ１０９６０の上流側１０９６８とカートリッジハウジング１１０１５の上壁１０９５８ａとの間に設けられる。上流ヘッドスペース１９７０に空気を送込むために、渦ファインダ１０９２７は底壁１０９５７から上向きにに突出し、フィルタ１０９６０および１０９６１には渦ファインダ１０９２７を受ける対応の開口１０９７２が設けられる。好ましくは、上壁１０９５８ａの内面に複数の間隔リブ１１０１６（図３０）が設けられ、フィルタ１０９６０の上流面１０９６８を上壁１０９５８ａの内面から間隔を空けたままにして上流ヘッドスペース１０９７０を維持する。
【０１９１】
フィルタカートリッジ１１０１５ハウジングの下部リム１１０１７は、（たとえばスナップ嵌合によって、または任意の種類の好適なガスケットもしくはシール部材を用いることによって）底壁１０９５７に接して底壁を封止して、概して気密のプレモータフィルタチャンバ１０９５６を設けるように構成される。そして、封止されたチャンバ１０９５６は開放可能なチャンバカバー１０９５９で覆われる。フィルタカートリッジハウジング１１０１５は十分な気密接続を底壁に提供するため、チャンバカバー１０９５９は気密でなくてもよい。好ましくは、ユーザがチャンバ１０９５６からプレモータフィルタ１０９６０を取外すことなくプレモータフィルタの上流側１０９６８を検査することができるように、チャンバカバー１０９５９およびフィルタカートリッジ１１０１５ハウジングの両方の少なくとも一部は透明である。随意に、チャンバカバー１０９５９およびフィルタカートリッジハウジング１１０１５の両方が透明プラスチックで形成されてもよい。
【０１９２】
ユーザがプレモータフィルタ１０９６０，１０９６１を取外す、掃除する、交換する、またはそうでなければ手が届くようにすることを望む場合、ユーザはチャンバカバー１０５９９（図３０）を開いてフィルタカートリッジハウジング１１０１５を露出し得る。ユーザは次にフィルタカートリッジハウジング１１０１５を外し、それを底壁１０９５７から分離し得る。好ましくは、プレモータフィルタ１０９６０，１０９６１は、フィルタ１０９６０，１０９６１がフィルタカートリッジハウジング１１０１５とともに取外され、ユーザによって取外されるまでフィルタカートリッジハウジング１１０１５の内部に残るように、フィルタカートリッジハウジング１１０１５の内部にぴったりと受けられる（または他の方法でその内部に保持される）。この実施形態では、フィルタ１０９６０の汚れた上流側１０９６８は、コアクリーニングユニット１１０００から分離されてもフィルタカートリッジハウジング１１０１５によって囲まれたままであり、フィルタ１０９６１の比較的清潔な下流側１０９６５のみが露出する。これは、フィルタ１０９６０の下流側１０９６８の塵がこぼれたりそうでなければユーザに触れてしまうことを防ぐのに役立ち得る。所望の場所、たとえばゴミ容器またはシンクにある場合、ユーザはフィルタの清潔な下流側１０９６５を把持し、それをフィルタカートリッジハウジング１１０１５から取外すことができる。そして、フィルタの上流側１０９６８を所望通りに掃除および検査することができる。
【０１９３】
ユーザを手伝うため、フィルタカートリッジハウジング１１０１５の上側１９５８ａには、ユーザがフィルタカートリッジハウジング１１０１５を固く把持して操作することを可能にし得るグリップ部材、たとえば示される実施形態ではフランジ１１０１８（図２８）が設けられ得る。グリップ部材１１０１８は任意の好適な構成であり得、随意にフィルタカートリッジハウジングの他の部分に（たとえば側壁のリッジまたは溝として）設けられてもよい。代替的に、フィルタカートリッジハウジング１１０１５は別個のグリップ部材を含まなくてもよい。
【０１９４】
表面クリーニング装置の全体サイズを減少させるのに役立つように、示される実施形態では、プレモータフィルタチャンバ１０９５６、およびその内部のフィルタはサイクロンチャンバ１０９１３の上方に位置決めされ、サイクロンチャンバ１０９１３の上端を覆う。この構成では、フォームフィルタ１０９６０を含む平面１０９６６（図２６）は、サイクロンチャンバ１０９１３の排気口１０９２３を含む平面１０９７７と概して平行であり、かつその上方に間隔が空けられており、両平面１０９６６，１０９６７はサイクロン軸１０９２０に概して垂直である。この構成においてフィルタ１０９６０，１０９６１を配置すると、プレモータフィルタの上流側（この例ではフォームフィルタ１０９６０の上側１０９６８）がプレモータフィルタの下流側（この例ではフェルトフィルタ１０９６１の下面１０９６５）よりもサイクロンチャンバ１０９１３から間隔が空けられることになる。代替的に、他の実施形態では、プレモータフィルタチャンバ１０９５６はサイクロンチャンバの上端の一部のみを覆ってもよく、および／またはサイクロンチャンバから横方向に間隔が空けられてもよい。
【０１９５】
表面クリーニング装置の使用時、サイクロンチャンバ１０９１３から出る空気は渦ファインダ１０９２７を経て上流ヘッドスペース１０９７０に流れ込み得る。上流ヘッドスペース１０９７０の内部で、空気はフォームフィルタ１０９６０の上流面１０９６８を横切って横方向に、かつフィルタを通って下向きに、下流ヘッドスペース１０９６４に流れ込み得る。空気は、下流ヘッドスペース１０９６４から、本体１０９０１の内部に形成される内部空気導管１０９７４（図２６）を経て吸引モータの入口１０９７３に流れ得る。示される実施形態では、内部空気導管１０９７４は本体１０９０１の内部に形成され、サイクロンチャンバ１０９１３および集塵チャンバ１０９１４の外部にあり、集塵チャンバ側壁１０９１５の外面によって部分的に囲まれる。空気導管１０９７４はプレモータフィルタチャンバ１０９５６と吸引モータ１０９１１との間に概して垂直に延在し、吸引モータ１０９１１およびサイクロンチャンバ１０９１３の真横に位置決めされる。吸引モータ１０９１１は、その吸気口１０９７３がサイクロンチャンバ１０９１３の上端と下端との間に垂直に存在し、かつモータ軸１０９２６がサイクロンチャンバ１０９１３および集塵チャンバ１０９１４を通るような高さに位置決めされる。
【０１９６】
随意に、カートリッジ部材１１０１５には、フィルタ１０９６０および１０９６１を入れるための、かつ自立型プレモータフィルタチャンバ１０９５６を設けるためのボトムカバー１１０３０が設けられてもよい。図３３および図３４を参照して、そのような構成では、ボトムカバー１１０３０はプレモータフィルタチャンバ１０９５６の底壁１０９５７を設け得、フィルタ１０９６０，１０９６１を支持するための、かつ下流ヘッドスペース１０９６４を設けるための内部リブ１０９６２が設けられ得る。ボトムカバー１１０３０に設けられる出口ポート１１０３１によって、空気はカートリッジ筐体１１０１５を出て導管１０９７４に流れ込むことができる。封止されたカートリッジを設けると、さらに、中身を空ける前に塵をカートリッジの内部に閉じ込めるのに役立ち得、フィルタ１０９６０および１０９６１を所定位置に維持するのに役立ち得る。
【０１９７】
図２０を参照して、示される実施形態では、ハンドル１０９０２は、吸引モータハウジング１０９１２に隣接する第１または底部の端１０９８１と、下端１９８１から上方に間隔が空けられている第２のまたは上部の端１０９８２と、それらの間に延在するグリップ部１０９８０とを有する。ハンドグリップ部１０９８０を把持すると、ユーザの指は開口部１０９８４を通り得る。
【０１９８】
図３１を参照して、単独でまたは本明細書中に開示される任意の他の特徴とともに使用され得る代替の実施形態のコアクリーニングユニット１３０００のサイクロンビンアセンブリ部１２９１０の断面図を例示する。サイクロンビンアセンブリ１２９１０はビンアセンブリ１０９１０と同様であり、２０００番台で示される同様の参照番号を用いて同様の特徴を同定する。サイクロンビンアセンブリ１２９１０は、外側シェル、フィルタカートリッジ部材および吸引モータが取外されて、孤立して示されている。この実施形態では、サイクロンチャンバ１２９１３は、（サイクロンチャンバ１２９１３の底部に向かって）吸気口１２９２２を通る平面１３０２０で切取った断面積が、排塵口１２９２４を通る平面１３０２１で切取った断面積よりも小さく、かつ（排気口１２９２３を含む）サイクロンチャンバ１２９１３の上端壁１２９３７の断面積よりも小さいように、張出している。この構成では、サイクロンチャンバ側壁１２９２１は、垂直部１３０２２と、垂直部１３０２２の上方に位置決めされる、概して円錐台形状の部分１３０２３とを含む。この実施形態では、サイクロンチャンバ１２９１３の体積はサイクロンチャンバの頂部に向かって増大し、これはサイクロン効率を向上させるのに役立ち得、および／または取去った塵が排塵口を経て出るのに役立ち得る。
【０１９９】
図３２を参照して、単独でまたは本明細書中に開示される任意の他の特徴とともに使用され得る代替の実施形態のコアクリーニングユニット１５０００のサイクロンビンアセンブリ１４９１０部の断面図を例示する。サイクロンビンアセンブリ１４９１０はサイクロンビンアセンブリ１０９１０と同様であり、４０００番台で示される類似の参照番号を用いて同様の要素を表わす。サイクロンビンアセンブリ１４９１０は、外側シェル、フィルタカートリッジ部材および吸引モータが取外されて、孤立して示されている。この実施形態では、サイクロンチャンバ１４９１３は、（サイクロンチャンバ１４９１３の底部に向かって）吸気口１４９２２を通る平面１５０２０で切取った断面積が、排塵口１４９２４を通る平面１５０２１で切取った断面積よりも大きく、かつ（排気口１４９２３を含む）サイクロンチャンバ１４９１３の上端壁１４９３７の断面積よりも大きいように、テーパ状である。この構成では、サイクロンチャンバ側壁１４９２１は、垂直部１５０２２と、垂直部の上方に位置決めされる、概して内向きにテーパ状であるフラスト円錐部１５０２３とを含む。この実施形態では、サイクロンチャンバ１４９１３の体積はサイクロンチャンバの頂部に向かって減少し、これはサイクロン効率を向上させるのに役立ち得、および／または取去った塵が排塵口を経て出るのに役立ち得る。
【０２００】
上記に説明したものは本発明を例示するためのものであり非限定的であることが意図されており、本明細書に添付の請求項において定義される発明の範囲から逸脱することなく他の変形または修正がなされ得ることが当業者によって理解されるであろう。請求項の範囲は好ましい実施形態および例によって制限されるべきでなく、説明全体と一致した最も広範な解釈が与えられるべきである。
【図１】
2016511671.tif 000003
【図２】
2016511671.tif 000004
【図３】
2016511671.tif 000005
【図４】
2016511671.tif 000006
【図５】
2016511671.tif 000007
【図６】
2016511671.tif 000008
【図７】
2016511671.tif 000009
【図８】
2016511671.tif 000010
【図９】
2016511671.tif 000011
【図１０】
2016511671.tif 000012
【図１１】
2016511671.tif 000013
【図１２】
2016511671.tif 000014
【図１３】
2016511671.tif 000015
【図１４】
2016511671.tif 000016
【図１５】
2016511671.tif 000017
【図１６】
2016511671.tif 000018
【図１７】
2016511671.tif 000019
【図１８】
2016511671.tif 000020
【図１９】
2016511671.tif 000021
【図２０】
2016511671.tif 000022
【図２１】
2016511671.tif 000023
【図２２】
2016511671.tif 000024
【図２３】
2016511671.tif 000025
【図２４】
2016511671.tif 000026
【図２５】
2016511671.tif 000027
【図２６】
2016511671.tif 000028
【図２７】
2016511671.tif 000029
【図２８】
2016511671.tif 000030
【図２９】
2016511671.tif 000031
【図３０】
2016511671.tif 000032
【図３１】
2016511671.tif 000033
【図３２】
2016511671.tif 000034
【図３３】
2016511671.tif 000035
【図３４】
2016511671.tif 000036
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
前端および後端を有する、手で持運び可能な表面クリーニング装置であって、
（ａ）  汚染流体入口と、
（ｂ）  前記汚染流体入口の下流のサイクロンチャンバを含むサイクロンビンアセンブリとを備え、前記サイクロンチャンバは、下端と、上端と、サイクロン軸と、前記上端における吸気口および排気口とを含み、さらに、
（ｃ）  上流側および下流側を含むプレモータフィルタを備え、前記プレモータフィルタは、開放可能なカバーを有するプレモータフィルタハウジングの内部に位置決めされ、前記サイクロン軸は前記プレモータフィルタハウジングを通って延在し、さらに、
（ｄ）  前記プレモータフィルタの下流および前記サイクロンビンアセンブリの後方に位置決めされる吸引モータと、
（ｅ）  前記プレモータフィルタから前記吸引モータまで延在する空気流路と、
（ｆ）  前記吸引モータの下流の清浄空気出口とを備える、手で持運び可能な表面クリーニング装置。
【請求項２】
前記プレモータフィルタの前記上流側は、前記プレモータフィルタ前記下流側よりも、前記サイクロンチャンバから間隔が空けられている、請求項１に記載の手で持運び可能な表面クリーニング装置。
【請求項３】
前記サイクロンチャンバの前記排気口と流れ連通しており、前記プレモータフィルタを通って延在する導管をさらに備え、随意に、前記サイクロンチャンバの前記排気口は前記導管を含み、前記導管は渦ファインダの延長部を含む、請求項１または２に記載の手で持運び可能な表面クリーニング装置。
【請求項４】
前記プレモータフィルタの前記下流側の下流ヘッダをさらに備え、前記空気流路は前記下流ヘッダから下流に延在する、請求項２または３に記載の手で持運び可能な表面クリーニング装置。
【請求項５】
前記プレモータフィルタの前記上流側の上流ヘッダをさらに備え、前記上流ヘッダは開放可能である、請求項２から４のいずれか１項に記載の手で持運び可能な表面クリーニング装置。
【請求項６】
ハンドルと、吸引モータハウジングとをさらに備え、前記プレモータフィルタハウジングは前記サイクロンチャンバの上方に位置決めされ、前記ハンドルは前記吸引モータハウジングと前記プレモータフィルタハウジングとの間に延在する、請求項１から５のいずれか１項に記載の手で持運び可能な表面クリーニング装置。
【請求項７】
前記プレモータフィルタハウジングは、前記ハンドルを動かさずに開放可能である、請求項６に記載の手で持運び可能な表面クリーニング装置。
【請求項８】
前記吸引モータは、前記サイクロン軸に概して垂直なモータ軸を有する、請求項１から７のいずれか１項に記載の手で持運び可能な表面クリーニング装置。
【請求項９】
前記ハンドルは、前記サイクロンビンアセンブリの後方および前記プレモータフィルタハウジングの下方に間隔が空けられている吸引モータハウジング端と、前記ハンドルの前記吸引モータ端の上方および前方に間隔が空けられているプレモータフィルタ端とを有する、請求項６から８のいずれか１項に記載の手で持運び可能な表面クリーニング装置。
【請求項１０】
ハンドルをさらに備え、前記ハンドルの一部は、前記手で持運び可能な表面クリーニング装置の重心の後方に配置される、請求項１から９のいずれか１項に記載の手で持運び可能な表面クリーニング装置。
【請求項１１】
前記空気流路内に出口端を有するブリード弁をさらに備え、
前記ブリード弁は、前記サイクロン軸と概して平行な軸を有する、請求項１から１０のいずれか１項に記載の手で持運び可能な表面クリーニング装置。
【請求項１２】
前記吸引モータは、前記サイクロンビンアセンブリの前記下端および前記上端の間に位置決めされる吸引モータ入口を有する、請求項１から１１のいずれか１項に記載の手で持運び可能な表面クリーニング装置。
【請求項１３】
前記吸気口は前記上端に設けられ、排塵口は前記下端に設けられ、前記サイクロンチャンバの下方に集塵チャンバが位置決めされる、請求項１から１２のいずれか１項に記載の手で持運び可能な表面クリーニング装置。
【請求項１４】
前記空気流路は、前記サイクロンチャンバの外部にあり、かつ前記サイクロンチャンバの外壁に沿って吸引モータ入口に向かって途中まで延在する部分を有する、請求項１から１３のいずれか１項に記載の手で持運び可能な表面クリーニング装置。
【請求項１５】
前記サイクロンチャンバの外部に位置決めされる集塵チャンバをさらに備え、前記空気流路は、前記集塵チャンバの外壁に沿って吸引モータ入口に向かって途中まで延在する部分を有する、請求項１から１４のいずれか１項に記載の手で持運び可能な表面クリーニング装置。
【国際調査報告】
2016511671.tif 000037
2016511671.tif 000038
2016511671.tif 000039
2016511671.tif 000040
2016511671.tif 000041
2016511671.tif 000042